(57)【要約】  Ｒ−ＰＤＣＣＨの下り回線のデータ割り当てを指示する“ＤＬ  ｇｒａｎｔ”のチャネル推定精度を向上させること。本発明の無線通信装置は、制御信号を受信する受信部と、複数の物理リソースブロック(ＰＲＢ)で構成されるＲＢグループ(ＲＢＧ)単位で、同一のプリコーディングが使用された隣接する複数のＰＲＢをブラインドディコーディングし、前記制御信号に含まれる自装置向けの制御信号が割り当てられたリソース領域を検出するブラインドディコーディング部と、を備える。
2011161907.tif 000002
【特許請求の範囲】
【請求項１】
制御信号を受信する受信部と、
複数の物理リソースブロック(ＰＲＢ)で構成されるＲＢグループ(ＲＢＧ)単位で、同一のプリコーディングが使用された隣接する複数のＰＲＢをブラインドディコーディングし、前記制御信号に含まれる自装置向けの制御信号が割り当てられたリソース領域を検出するブラインドディコーディング部と、
を備える無線通信装置。
【請求項２】
複数の物理リソースブロック(ＰＲＢ)で構成されるＲＢグループ(ＲＢＧ)単位で、サーチスペースを決定するサーチスペース決定部と、
自装置と通信相手装置との間の回線品質に基づき、前記通信相手装置向けの制御信号のアグリゲーションサイズを決定するアグリゲーションサイズ決定部と、
前記決定されたアグリゲーションサイズおよび前記回線品質に基づき、前記サーチスペースに含まれる前記複数のＰＲＢのうち、同一のプリコーディングが使用された隣接する複数のＰＲＢに、前記通信相手装置向けの制御信号を割り当てる割当て部と、
前記割り当てられた通信相手装置向けの制御信号を送信する送信部と、
を備える無線通信装置。
【請求項３】
前記サーチスペース決定部は、３つのＰＲＢで構成されるＲＢＧ単位でサーチスペースを決定し、かつ、前記アグリゲーションサイズ決定部は、アグリゲーションサイズを２と決定する場合、
前記割当て部は、前記決定されたサーチスペースのうち、当該ＲＢＧ番号が２ｎ（ｎ：０又は正の整数）のＲＢＧにおいては、前記３つのＰＲＢのうち上位２つのＰＲＢに前記通信相手装置向けの制御信号を割り当て、当該ＲＢＧ番号が（２ｎ＋１）のＲＢＧにおいては、前記３つのＰＲＢのうち下位２つのＰＲＢに前記通信相手装置向けの制御信号を割り当てる、
請求項２に記載の無線通信装置。
【請求項４】
前記サーチスペース決定部は、３つのＰＲＢで構成されるＲＢＧ単位で指定された、当該ＲＢＧ番号が２ｎ（ｎ：０又は正の整数）及び当該ＲＢＧ番号が（２ｎ＋１）のＲＢＧで構成される第一のサーチスペース、又は、当該ＲＢＧ番号が（２ｎ＋１）及び（２ｎ＋２）のＲＢＧで構成される第二のサーチスペースを決定し、かつ、前記アグリゲーションサイズ決定部は、前記アグリゲーションサイズを４と決定する場合、
前記割当て部は、
前記決定された第一のサーチスペースのうち、当該ＲＢＧ番号が２ｎのＲＢＧにおいて前記３つのＰＲＢのうち上位２つのＰＲＢに前記通信相手装置向けの制御信号を割り当てるとともに、当該ＲＢＧ番号が（２ｎ＋１）のＲＢＧにおいて前記３つのＰＲＢのうち下位２つのＰＲＢに前記通信相手装置向けの制御信号を割り当て、
前記決定された第二のサーチスペースのうち、当該ＲＢＧ番号が（２ｎ＋１）のＲＢＧにおいて前記３つのＰＲＢのうち下位２つのＰＲＢに前記通信相手装置向けの制御信号を割り当てるとともに、当該ＲＢＧ番号が（２ｎ＋２）である前記３つのＰＲＢのうち上位２つのＰＲＢに前記通信相手装置向けの制御信号を割り当てる、
請求項２に記載の無線通信装置。
【請求項５】
前記サーチスペース決定部は、３つのＰＲＢで構成されるＲＢＧ単位でサーチスペースを決定し、かつ、前記アグリゲーションサイズ決定部は、前記アグリゲーションサイズを１と決定する場合、
前記割当て部は、前記決定したサーチスペースのうち、前記３つのＰＲＢにおいて中央のＰＲＢに前記通信相手装置向けの制御信号を割り当てる、
請求項２に記載の無線通信装置。
【請求項６】
前記サーチスペース決定部は、４つのＰＲＢで構成されるＲＢＧ単位でサーチスペースを決定し、かつ、前記アグリゲーションサイズ決定部は、前記アグリゲーションサイズを２と決定する場合、
前記割当て部は、前記決定されたサーチペースのうち、前記４つのＰＲＢにおいて、上位２つのＰＲＢ又は下位２つのＰＲＢに、前記通信相手装置向けの制御信号を割り当てる、
請求項２に記載の無線通信装置。
【請求項７】
前記サーチスペース決定部は、３つのＰＲＢで構成されるＲＢＧ単位でサーチスペースを決定し、かつ、前記アグリゲーションサイズ決定部は、前記アグリゲーションサイズを４と決定する場合、
前記割当て部は、前記決定されたサーチペースのうち、ＲＢＧ番号がｎ（ｎ：０又は正の整数）の２つのＰＲＢとＲＢＧ番号が（ｎ＋１）の２つのＰＲＢとに、前記通信相手装置向けの制御信号を割り当てる、
請求項２に記載の無線通信装置。
【請求項８】
請求項２〜７のいずれか１項に記載の無線通信装置を備える無線通信基地局装置。
【請求項９】
請求項１に記載の無線通信装置を備える無線通信中継局装置。
【請求項１０】
制御信号を受信し、
複数の物理リソースブロック(ＰＲＢ)で構成されるＲＢグループ(ＲＢＧ)単位で、同一のプリコーディングが使用された隣接する複数のＰＲＢをサーチスペースとしてブラインドディコーディングし、前記制御信号に含まれる自装置向けの制御信号が割り当てられたリソース領域を検出する、
無線通信方法。
【請求項１１】
複数の物理リソースブロック(ＰＲＢ)で構成されるＲＢグループ(ＲＢＧ)単位で、サーチスペースを決定し、
自装置と通信相手装置との間の回線品質に基づき、前記通信相手装置向けの制御信号のアグリゲーションサイズを決定し、
前記決定されたアグリゲーションサイズおよび前記回線品質に基づき、前記サーチスペースに含まれる前記複数のＰＲＢのうち、同一のプリコーディングが使用された隣接する複数のＰＲＢに、前記通信相手装置向けの制御信号を割り当て、
前記割り当てられた通信相手装置向けの制御信号を送信する、
無線通信方法。
【請求項１２】
前記ブラインドディコーディング部は、
前記複数の物理リソースブロック(ＰＲＢ)で構成されるＲＢグループ(ＲＢＧ)単位で、前記ＲＢＧ単位でＶＲＢがマッピングされ、同一のプリコーディングが使用された隣接する複数のＰＲＢをブラインドディコーディングし、前記制御信号に含まれる自装置向けの制御信号が割り当てられたリソース領域を検出する、
請求項１に記載の無線通信装置。
【請求項１３】
前記割当て部は、
前記決定されたアグリゲーションサイズおよび前記回線品質に基づき、前記サーチスペースに含まれ、ＲＢＧ単位でＶＲＢがマッピングされる前記複数のＰＲＢのうち、同一のプリコーディングが使用された隣接する複数のＰＲＢに、前記通信相手装置向けの制御信号を割り当てる、
請求項２に記載の無線通信装置。
【発明の詳細な説明】
【技術分野】
【０００１】
本発明は、無線通信装置及び無線通信方法に関する。
【背景技術】
【０００２】
近年、セルラ移動体通信システムにおいては、情報のマルチメディア化に伴い、音声データのみならず、静止画像データ、動画像データ等の大容量データを伝送することが一般化しつつある。大容量データの伝送を実現するために、高周波の無線帯域を利用して高伝送レートを実現する技術に関して盛んに検討がなされている。【０００３】
しかし、高周波の無線帯域を利用した場合、近距離では高伝送レートを期待できる一方、遠距離になるにしたがい伝送距離による減衰が大きくなる。よって、高周波の無線帯域を利用した移動体通信システムを実際に運用する場合は、無線通信基地局装置（以下、基地局と省略する）のカバーエリアが小さくなり、このため、より多くの基地局を設置する必要が生じる。基地局の設置には相応のコストがかかるため、基地局数の増加を抑制しつつ、高周波の無線帯域を利用した通信サービスを実現するための技術が強く求められている。【０００４】
このような要求に対し、各基地局のカバーエリアを拡大させるために、図２７（ａ）、（ｂ）の無線中継システムに示すように、基地局（ｅｖｏｌｖｅｄ  Ｎｏｄｅ  Ｂ；ｅＮＢ）１０と無線通信移動局装置（Ｕｓｅｒ  Ｅｑｕｉｐｍｅｎｔ；ＵＥ）３０（以下、移動局３０と省略する）との間に無線通信中継局装置（Ｒｅｌａｙ  Ｎｏｄｅ；ＲＮ）２０（以下、中継局２０と省略する）を設置し、基地局１０と移動局３０との間の通信を、中継局２０を介して行う、中継送信技術が検討されている。中継技術を用いると、基地局１０と直接通信できない移動局も、中継局２０を介して通信することができる。【０００５】
［ＴＤ  ｒｅｌａｙの説明］
ＬＴＥ−Ａ（Ｌｏｎｇ  Ｔｅｒｍ  Ｅｖｏｌｕｔｉｏｎ  Ａｄｖａｎｃｅｄ）システムは、ＬＴＥからのスムーズな移行やＬＴＥとの共存の観点から、ＬＴＥとの互換性を維持することが要求されている。そのため、Ｒｅｌａｙ技術に関しても、ＬＴＥとの相互互換性を達成することが求められている。ＬＴＥ−Ａシステムでは、ＬＴＥとの相互互換性を達成するために、下り回線（Ｄｏｗｎ  Ｌｉｎｋ；以下、ＤＬという）において、基地局から中継局への送信時にＭＢＳＦＮ(Ｍｕｌｔｉｃａｓｔ／Ｂｒｏａｄｃａｓｔ ｏｖｅｒ Ｓｉｎｇｌｅ ＦｒｅｑｕｅｎｃｙＮｅｔｗｏｒｋ)サブフレームを設定することが検討されている。【０００６】
次に、図２７（ａ）を参照してＴＤ  ｒｅｌａｙについて説明する。図２７（ａ）は下り回線でのＴＤ  ｒｅｌａｙを説明するための概念図を示し、図２７（ｂ）は上り回線でのＴＤ  ｒｅｌａｙ説明するための概念図を示す。ＴＤ  ｒｅｌａｙ（ｈａｌｆ  ｄｕｐｌｅｘ  ｒｅｌａｙまたは  Ｔｙｐｅ1  ｒｅｌａｙとも呼ばれる）では、基地局１０から中継局２０の送信と、中継局２０から移動局３０の送信を時間で分割する。【０００７】
図２７（ｂ）に示す上り回線では、サブフレーム＃２（Ｓｕｂｆｒａｍｅ  ＃２）では、アクセスリンク（Ａｃｃｅｓｓ  ｌｉｎｋ）で移動局３０から中継局２０への送信を行い、サブフレーム＃３（Ｓｕｂｆｒａｍｅ  ＃３）では、バックホールリンク（Ｂａｃｋｈａｕｌ  ｌｉｎｋ）で中継局２０から基地局１０への通信を行う。そして、サブフレーム＃４（Ｓｕｂｆｒａｍｅ  ＃４）では、再び、移動局３０から中継局２０への送信を行う。同様に、図２７（ａ）に示す下り回線では、サブフレーム＃２では、アクセスリンクで中継局２０から移動局３０の送信を行い、サブフレーム＃３では、バックホールリンクで基地局１０から中継局２０への通信を行う。そして、サブフレーム＃４では、再び、中継局２０から移動局３０の送信を行う。【０００８】
上述のように、バックホールの通信と、中継局２０のアクセスリンクの通信とを時間軸で分割することで、中継局２０が送信する時間と、中継局２０が受信する時間とを分割することができる。したがって、中継局２０は、送信アンテナと受信アンテナとの間の回りこみの影響を受けずに、信号を中継することができる。【０００９】
また、下り回線では、ＭＢＳＦＮサブフレームをアクセスリンクに設定する。「ＭＢＳＦＮサブフレーム」とは、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）データを送信するために定義されたサブフレームである。ＬＴＥ端末は、ＭＢＳＦＮサブフレームでは、参照信号を利用しないという動作が定められている。【００１０】
そこで、ＬＴＥ−Ａにおいて、中継局２０が基地局１０と通信するバックホールリンク用サブフレームでは、中継局セルのアクセスリンク側のサブフレームを、ＭＢＳＦＮサブフレームに設定することによって、ＬＴＥ端末の参照信号の誤検出を回避する手法が提案されている。図２８は、ＬＴＥシステムにおける各局のサブフレームにおける制御信号とデータとの割当の一例である。図２８に示すように、ＬＴＥシステムでは、各局の制御信号は、サブフレームの前方に配置されている。そのため、中継局２０は、ＭＢＳＦＮサブフレームであっても移動局３０へ制御信号（Ｐｈｙｓｉｃａｌ  Ｄｏｗｎｌｉｎｋ  Ｃｏｎｔｒｏｌ  Ｃｈａｎｎｅｌ；ＰＤＣＣＨ）部分は送信しなければならない。中継局２０は、アクセスリンクで制御信号を移動局３０へ送信後にバックホールリンクの受信へ切り替え、基地局１０から信号を受信する。したがって、中継局２０はアクセスリンクで制御信号を移動局３０に送信している間、基地局１０が送信する制御信号を受信することができない。そのため、ＬＴＥ−Ａでは、新たにデータ領域に中継局用制御信号（Ｒ−ＰＤＣＣＨ）を配置することが検討されている。【００１１】
［制御信号の説明］
ＬＴＥシステムの制御信号は、例えばＰＤＣＣＨ（Ｐｈｙｓｉｃａｌ  Ｄｏｗｎｌｉｎｋ  Ｃｏｎｔｒｏｌ  Ｃｈａｎｎｅｌ）等の下り回線制御チャネルを用いて、基地局から移動局へ送信される。ＰＤＣＣＨには、ＤＬのデータ割り当てを指示する“ＤＬ  ｇｒａｎｔ”、上り回線（Ｕｐ Ｌｉｎｋ；以下、ＵＬともいう）のデータ割り当てを指示する“ＵＬ  ｇｒａｎｔ”が含まれる。【００１２】
非特許文献１に開示されているように、中継局用制御信号（Ｒ−ＰＤＣＣＨ）で、 “ＤＬ  ｇｒａｎｔ”を１ｓｔ  ｓｌｏｔに配置し、“ＵＬ  ｇｒａｎｔ”を２ｎｄ  ｓｌｏｔに配置することが検討されている。中継局用制御信号（Ｒ−ＰＤＣＣＨ）で、“ＤＬ  ｇｒａｎｔ”を１ｓｔ  ｓｌｏｔのみに配置することで、“ＤＬ  ｇｒａｎｔ”の復号遅延を短くし、中継局は、ＤＬデータに対するＡＣＫ／ＮＡＣＫの送信（ＦＤＤでは４サブフレーム後）に備えることができる。【００１３】
また、Ｒ−ＰＤＣＣＨが配置される物理リソースブロック（ＰＲＢ：Ｐｈｙｓｉｃａｌ  Ｒｅｓｏｕｒｃｅ  Ｂｌｏｃｋ）は、中継局ごとに異なることが検討されている。図２９に示すＲ−ＰＤＣＣＨの配置例を示す。図２９の縦軸は周波数（Ｆｒｅｑｕｅｎｃｙ）を示し、図２９の横軸は時間（Ｔｉｍｅ）を示す。図２９に示すように、同一サブフレーム内において、中継局ＲＮ１用のＲ−ＰＤＣＣＨはＰＲＢ＃１に配置され、他の中継局ＲＮ２用のＲ−ＰＤＣＣＨはＰＲＢ＃６、７に配置されている。【００１４】
また、中継局２０は、基地局１０から“ｈｉｇｈｅｒ  ｌａｙｅｒ  ｓｉｇｎａｌｉｎｇ”で指示されるＲ−ＰＤＣＣＨのサーチスペースにおいて、Ｒ−ＰＤＣＣＨのブラインドディコーディングを行う。【００１５】
［Ｒ−ＰＤＣＣＨのアグリゲーションサイズ］
また、ＬＴＥシステムのＰＤＣＣＨと同様に、“ＤＬ  ｇｒａｎｔ”および“ＵＬ  ｇｒａｎｔ”の符号化率を回線品質によって変更するために、アグリゲーションサイズを複数用意することも検討されている。図３０は、Ｒ−ＰＤＣＣＨのアグリゲーションサイズ（ａｇｇｒｅｇａｔｉｏｎ  ｓｉｚｅ）を示す概念図である。各Ｒ−ＰＤＣＣＨのアグリゲーションサイズの図において、縦軸は周波数（Ｆｒｅｑｕｅｎｃｙ）を示し、横軸は時間（Ｔｉｍｅ）を示す。図３０に示すように、アグリゲーションサイズが８、４、２、１と小さくなるほど符号化率が高くなるので、アグリゲーションサイズが小さいＲ−ＰＤＣＣＨは、基地局１０と中継局２０との間の回線品質が良い場合に適している。【００１６】
基地局１０は、自局と中継局２０との間の回線品質を推定し、Ｒ−ＰＤＣＣＨのアグリゲーションサイズを決定して、決定したアグリゲーションサイズに基づいて生成したＲ−ＰＤＣＣＨを中継局２０に送信する。中継局２０は、サブフレームごとに変わるアグリゲーションサイズを前もって知らないので、複数のアグリゲーションサイズにおいてＲ−ＰＤＣＣＨをブラインドディコーディングする。【００１７】
［ＤＭ−ＲＳの配置］
ＬＴＥ−Ａ  において、チャネル推定に使用されるＤＭ−ＲＳ（Ｄｅｍｏｄｕｌａｔｉｏｎ  Ｒｅｆｅｒｅｎｃｅ  ｓｉｇｎａｌ）は、各スロットの後方２シンボルに配置される。図３１にＤＭ−ＲＳの配置例を示す。図３１の縦軸は周波数（Ｆｒｅｑｕｅｎｃｙ）を示し、図３１の横軸は時間（Ｔｉｍｅ）を示す。図３１に示すように、通常のサブフレーム（ｎｏｒｍａｌ  ｓｕｂｆｒａｍｅ）の場合、ＤＭ−ＲＳ（図３１中、ＤＭ−ＲＳ  ｐｏｒｔ  ７，８と表記）は、ＯＦＤＭ  ｓｙｍｂｏｌ＃５、＃６、およびＯＦＤＭ  ｓｙｍｂｏｌ＃１１、＃１２に配置される。
【先行技術文献】
【非特許文献】
【００１８】
【非特許文献１】Ｒ１−１０２７００，“Ｂａｃｋｈａｕｌ  Ｃｏｎｔｒｏｌ  Ｃｈａｎｎｅｌ  Ｄｅｓｉｇｎ  ｉｎ  Ｄｏｗｎｌｉｎｋ”，  ＬＧ  Ｅｌｅｃｔｒｏｎｉｃｓ  Ｉｎｃ．，  ＴＳＧ−ＲＡＮ  ＷＧ１  Ｍｅｅｔｉｎｇ  ＃６１，  Ｍｏｎｔｒｅａｌ，  Ｃａｎａｄａ，  １０ｔｈ−１４ｔｈ，  Ｍａｙ，  ２０１０
【非特許文献２】Ｒ１−１０２８８１，“Ｒ−ＰＤＣＣＨ  ｐｌａｃｅｍｅｎｔ”，  Ｐａｎａｓｏｎｉｃ，  ３ＧＰＰ  ＴＳＧ  ＲＡＮ  ＷＧ１  Ｍｅｅｔｉｎｇ  ＃６１，  Ｍｏｎｔｒｅａｌ，  Ｃａｎａｄａ，  １０ｔｈ−１４ｔｈ  Ｍａｙ  ２０１０
【発明の概要】
【発明が解決しようとする課題】
【００１９】
しかし、図３１において復号遅延を考慮すると、Ｒ−ＰＤＣＣＨの下り回線のデータ割り当てを指示する“ＤＬ  ｇｒａｎｔ”は、１ｓｔ  ｓｌｏｔ後方であるＯＦＤＭ  ｓｙｍｂｏｌ＃５、＃６に配置されるＤＭ−ＲＳのみでチャネル推定しなければならない。一方、Ｒ−ＰＤＣＣＨの上り回線のデータ割り当てを指示する“ＵＬ  ｇｒａｎｔ”は、１ｓｔ  ｓｌｏｔ  後方（ＯＦＤＭ  ｓｙｍｂｏｌ＃５、＃６）に配置されるＤＭ−ＲＳと、２ｎｄ  ｓｌｏｔ後方（ＯＦＤＭ  ｓｙｍｂｏｌ＃１１、＃１２）に配置されるＤＭ−ＲＳとを使用できる。そのため、“ＤＬ  ｇｒａｎｔ”は、“ＵＬ  ｇｒａｎｔ”と比較して、半分のＤＭ−ＲＳしか使用できず、チャネル推定精度が劣化するという課題がある。【００２０】
本発明の目的は、Ｒ−ＰＤＣＣＨの下り回線のデータ割り当てを指示する“ＤＬ  ｇｒａｎｔ”のチャネル推定精度を向上することができる無線通信装置及び無線通信方法を提供することである。
【課題を解決するための手段】
【００２１】
本発明は、制御信号を受信する受信部と、複数の物理リソースブロック(ＰＲＢ)で構成されるＲＢグループ(ＲＢＧ)単位で、同一のプリコーディングが使用された隣接する複数のＰＲＢをブラインドディコーディングし、前記制御信号に含まれる自装置向けの制御信号が割り当てられたリソース領域を検出するブラインドディコーディング部と、を備える無線通信装置を提供する。【００２２】
また、本発明は、複数の物理リソースブロック(ＰＲＢ)で構成されるＲＢグループ(ＲＢＧ)単位で、サーチスペースを決定するサーチスペース決定部と、自装置と通信相手装置との間の回線品質に基づき、前記通信相手装置向けの制御信号のアグリゲーションサイズを決定するアグリゲーションサイズ決定部と、前記決定されたアグリゲーションサイズおよび前記回線品質に基づき、前記サーチスペースに含まれる前記複数のＰＲＢのうち、同一のプリコーディングが使用された隣接する複数のＰＲＢに、前記通信相手装置向けの制御信号を割り当てる割当て部と、前記割り当てられた通信相手装置向けの制御信号を送信する送信部と、備える無線通信装置を提供する。【００２３】
また、本発明は、制御信号を受信し、複数の物理リソースブロック(ＰＲＢ)で構成されるＲＢグループ(ＲＢＧ)単位で、同一のプリコーディングが使用された隣接する複数のＰＲＢをサーチスペースとしてブラインドディコーディングし、前記制御信号に含まれる自装置向けの制御信号が割り当てられたリソース領域を検出する、無線通信方法を提供する。【００２４】
また、本発明は、複数の物理リソースブロック(ＰＲＢ)で構成されるＲＢグループ(ＲＢＧ)単位で、サーチスペースを決定し、自装置と通信相手装置との間の回線品質に基づき、前記通信相手装置向けの制御信号のアグリゲーションサイズを決定し、前記決定されたアグリゲーションサイズおよび前記回線品質に基づき、前記サーチスペースに含まれる前記複数のＰＲＢのうち、同一のプリコーディングが使用された隣接する複数のＰＲＢに、前記通信相手装置向けの制御信号を割り当て、前記割り当てられた通信相手装置向けの制御信号を送信する、無線通信方法を提供する。
【発明の効果】
【００２５】
本発明に係る無線通信装置及び無線通信方法によれば、Ｒ−ＰＤＣＣＨの下り回線のデータ割り当てを指示する“ＤＬ  ｇｒａｎｔ”のチャネル推定精度を向上することができる。
【図面の簡単な説明】
【００２６】
【図１】（ａ）〜（ｃ）はＲＢＧ内のＲ−ＰＤＣＣＨの配置例を説明するための図
【図２】ＰＲＧサイズを説明するための図
【図３】“ＰＲＢ  ｂｕｎｄｌｉｎｇ”により同一プリコーディングとなるＰＲＢの位置を説明するための図
【図４】（ａ）、（ｂ）はＲ−ＰＤＣＣＨに割当てる“ＰＲＢ  ｂｕｎｄｌｉｎｇ”の例（１）
【図５】Ｒ−ＰＤＣＣＨに割当てる“ＰＲＢ  ｂｕｎｄｌｉｎｇ”の例（２）
【図６】Ｒ−ＰＤＣＣＨに割当てる“ＰＲＢ  ｂｕｎｄｌｉｎｇ”の例（３）
【図７】Ｒ−ＰＤＣＣＨに割当てる“ＰＲＢ  ｂｕｎｄｌｉｎｇ”の例（４）
【図８】Ｒ−ＰＤＣＣＨに割当てる“ＰＲＢ  ｂｕｎｄｌｉｎｇ”の例（５）
【図９】Ｒ−ＰＤＣＣＨに割当てる“ＰＲＢ  ｂｕｎｄｌｉｎｇ”の例（６）
【図１０】Ｒ−ＰＤＣＣＨに割当てる“ＰＲＢ  ｂｕｎｄｌｉｎｇ”の例（７）
【図１１】Ｒ−ＰＤＣＣＨに割当てる“ＰＲＢ  ｂｕｎｄｌｉｎｇ”の例（８）
【図１２】Ｒ−ＰＤＣＣＨに割当てる“ＰＲＢ  ｂｕｎｄｌｉｎｇ”の例（９）
【図１３】Ｒ−ＰＤＣＣＨに割当てる“ＰＲＢ  ｂｕｎｄｌｉｎｇ”の例（１０）
【図１４】Ｒ−ＰＤＣＣＨに割当てる“ＰＲＢ  ｂｕｎｄｌｉｎｇ”の例（１１）
【図１５】Ｒ−ＰＤＣＣＨに割当てる“ＰＲＢ  ｂｕｎｄｌｉｎｇ”の例（１２）
【図１６】Ｒ−ＰＤＣＣＨに割当てる“ＰＲＢ  ｂｕｎｄｌｉｎｇ”の例（１３）
【図１７】Ｒ−ＰＤＣＣＨに割当てる“ＰＲＢ  ｂｕｎｄｌｉｎｇ”の例（１４）
【図１８】基地局１００の構成を示すブロック図
【図１９】中継局２００の構成を示すブロック図
【図２０】Ｒ−ＰＤＣＣＨのサーチスペースをＶＲＢからＰＲＢへ割り当てる例
【図２１】ＲＢＧサイズ３の場合の配置例
【図２２】ＲＢＧサイズ４の場合の配置例（１）
【図２３】ＲＢＧサイズ４の場合の配置例（２）
【図２４】１対１マッピングの例
【図２５】基地局３００の構成を示すブロック図
【図２６】中継局４００の構成を示すブロック図
【図２７】（ａ）下り回線でのＴＤ  ｒｅｌａｙを説明するための概念図、（ｂ）上り回線でのＴＤ  ｒｅｌａｙ説明するための概念図
【図２８】ＬＴＥシステムにおける各局のサブフレームにおける制御信号とデータとの割当の一例
【図２９】Ｒ−ＰＤＣＣＨの配置例
【図３０】Ｒ−ＰＤＣＣＨの複数のアグリゲーションサイズを示す概念図
【図３１】ＤＭ−ＲＳの配置例
【発明を実施するための形態】
【００２７】
以下、本発明の実施の形態について、図面を参照して説明する。
【００２８】
（実施の形態１）
実施の形態１に係る通信システムでは、基地局１００が、リソースブロックグループ（ＲＢＧ：Ｒｅｓｏｕｒｃｅ  Ｂｌｏｃｋ  Ｇｒｏｕｐ）単位で、Ｒ−ＰＤＣＣＨのサーチスペースを中継局２００に指定する場合、基地局１００が、ＲＢＧを構成する複数の物理リソースブロック（ＰＲＢ：Ｐｈｙｓｉｃａｌ  Ｒｅｓｏｕｒｃｅ  Ｂｌｏｃｋ）のうち、“ＰＲＢ  ｂｕｎｄｌｉｎｇ”される複数の物理リソースブロック（ＰＲＢ）をＲ−ＰＤＣＣＨに割当てることで、Ｒ−ＰＤＣＣＨの下り回線のデータ割り当てを指示する“ＤＬ  ｇｒａｎｔ”のチャネル推定精度を向上させる。
【００２９】
また、本実施の形態に係る通信システムでは、ＲＢＧを構成する複数の物理リソースブロック（ＰＲＢ）のうち、中継局２００がブラインドディコーディングする物理リソースブロック（ＰＲＢ）を基地局１００が定めておき、中継局２００がブラインドディコーディング回数を軽減することができる。
【００３０】
［Ｒ−ＰＤＣＣＨのサーチスペースについて］
ここで、Ｒ−ＰＤＣＣＨのサーチスペースについて説明する。Ｒ−ＰＤＣＣＨのサーチスペースは“ｈｉｇｈｅｒ  ｌａｙｅｒ  ｓｉｇｎａｌｉｎｇ”で基地局１００から中継局２００に通知される。Ｒ−ＰＤＣＣＨのサーチスペースが通知される単位は、ＰＲＢ単位、ＲＢＧ単位の両者が考えられるが、本実施の形態に係る通信システムでは、ＲＢＧ単位を例に説明する。なお、リソースブロックグループ（ＲＢＧ）とは、複数のＰＲＢをまとめて割当てる場合に使用される単位である。また、ＲＢＧのサイズは、通信システムのバンド幅によって定められている。Ｒ−ＰＤＣＣＨがリソースブロックグループ（ＲＢＧ)単位で指定される場合、ＲＢＧ内の全てのＰＲＢがＲ−ＰＤＣＣＨに使用されるのではなく、一部のＰＲＢがＲ−ＰＤＣＣＨに使用される場合もある。
【００３１】
図１（ａ）〜（ｃ）は、ＲＢＧ内のＲ−ＰＤＣＣＨの配置例を説明するための図である。本図では説明のため、複数の中継局２００をそれぞれ中継局ＲＮ１、中継局ＲＮ２と記載して区別する。また、ＲＢＧサイズは３とする。図１（ａ）は中継局ＲＮ１、ＲＮ２についてＲＢＧ内のＲ−ＰＤＣＣＨの配置例を示し、図１（ｂ）はＲＢＧ＃０における中継局ＲＮ１用のＲ−ＰＤＣＣＨの配置例を示し、図１（ｃ）は、ＲＢＧ＃３における中継局ＲＮ２用のＲ−ＰＤＣＣＨの配置例を示す。
【００３２】
図１（ａ）に示すように、ＲＢＧ＃０が中継局ＲＮ１に割当てられ、ＲＢＧ＃３が中継局ＲＮ２に割当てられている。図１（ｂ）に示すように、中継局ＲＮ１用に割当てられたＲＢＧ＃０に含まれるＰＲＢ＃０、１、２のうち、ＰＲＢ＃０にＲ−ＰＤＣＣＨが配置されており、“ＤＬ  ｇｒａｎｔ”と“ＵＬ  ｇｒａｎｔ”とが送信されている。このとき、Ｒ−ＰＤＣＣＨに使用されなかったＰＲＢ＃１、＃２は、中継局宛のデータ（Ｒ−）ＰＤＳＣＨ又は他の移動局宛のデータＰＤＳＣＨを割当てることができる。図１（ｃ）に示すように、中継局ＲＮ２用に割当てられたＲＢＧ＃３に含まれるＰＲＢ＃９、１０、１１のうち、ＰＲＢ＃１０にＲ−ＰＤＣＣＨが配置されており、“ＤＬ  ｇｒａｎｔ”が送信されている。なお、ＰＲＢ＃１０のＲ−ＰＤＣＣＨの２ｎｄ  ｓｌｏｔで“ＵＬ  ｇｒａｎｔ”が送信されていない場合は、図１（ｃ）のように、Ｒ−ＰＤＣＣＨ又は中継局宛のＰＤＳＣＨを割当てることができる。
【００３３】
図１（ａ）において、中継局ＲＮ１又は中継局ＲＮ２は、サーチスペースとして指定されたＲＢＧ内の全てのＰＲＢが、Ｒ−ＰＤＣＣＨのブラインドディコーディング対象であると、全てのＰＲＢをサーチしなければならないのでブラインドディコーディング数が増加してしまう。
【００３４】
しかしながら、本実施の形態に係る通信システムでは、ＲＢＧを構成する複数の物理リソースブロック（ＰＲＢ）のうち、中継局２００がブラインドディコーディングする物理リソースブロック（ＰＲＢ）を“ＰＲＢ  ｂｕｎｄｌｉｎｇ”される複数の物理リソースブロック（ＰＲＢ）であると基地局１００が定めておく。
【００３５】
［ＰＲＢ  ｂｕｎｄｌｉｎｇ］
“ＰＲＢ  ｂｕｎｄｌｉｎｇ”とは、リファレンス信号として、中継局または移動局ごとに異なるビームを向けることのできるＤＭ−ＲＳを使用する場合に、隣接する複数のＰＲＢに同じプリコーディングを使用し、チャネル推定精度を向上させる技術である。（非特許文献２参照）。
【００３６】
［ＰＲＧサイズ］
また、ＰＲＧサイズは、システム帯域幅（Ｓｙｓｔｅｍ  ｂａｎｄ  ｗｉｄｔｈ）に含まれるＲＢの数（図中、ＲＢｓと表記）によって異なる値が設定されている。図２を参照して、ＰＲＧ（Ｐｒｅｃｏｄｉｎｇ  ＲＢＧｒｏｕｐｓ）サイズについて説明する。図２は、ＰＲＧサイズを説明するための図である。図２に示すように、ＲＢの数が２７−６３については、ＰＲＧサイズ（ＰＲＧ  ｓｉｚｅ）は２または３が検討されている。ＰＲＧサイズが２または３で検討されている理由としては、ＰＲＧサイズが大きくなるにつれて、同一プリコーディングとみなせるＤＭ−ＲＳ数が増加するので、リファレンス信号のＳＮＲを高めることができる一方で、ＰＲＧサイズが大きくなるにつれて、周波数選択性フェージングの影響が均一でなくなるので、最適なビームを設定できなくなる。そのため、両者のトレードオフにより、ＰＲＧサイズは２または３に設定される。
【００３７】
そこで、本実施の形態に係る通信システムでは、Ｒ−ＰＤＣＣＨのＰＲＧ（Ｐｒｅｃｏｄｉｎｇ  ＲＢＧｒｏｕｐｓ）サイズについては、図２と同じ設定を用いることで、リファレンス信号のＳＮＲを高めつつ、周波数選択性フェージングの影響が均一で、良好なビームを設定することができる。
【００３８】
上述のように、本実施の形態に係る通信システムでは、ＲＢＧを構成する複数の物理リソースブロック（ＰＲＢ）のうち、中継局２００がブラインドディコーディングする物理リソースブロック（ＰＲＢ）を“ＰＲＢ  ｂｕｎｄｌｉｎｇ”される複数の物理リソースブロック（ＰＲＢ）であると基地局１００が定めておく。そして、基地局１００は、ＲＢＧを構成する複数のＰＲＢのうち、“ＰＲＢ  ｂｕｎｄｌｉｎｇ”される複数の物理リソースブロック（ＰＲＢ）をＲ−ＰＤＣＣＨに割当てておく。したがって、本実施の形態に係る通信システムでは、Ｒ−ＰＤＣＣＨの下り回線のデータ割り当てを指示する“ＤＬ  ｇｒａｎｔ”のチャネル推定精度を向上させることができる。さらには、中継局２００がブラインドディコーディング回数を軽減することができる。
【００３９】
［ＲＢＧサイズ  ３；ＰＲＧサイズ  ２］
図３を参照して、“ＰＲＢ  ｂｕｎｄｌｉｎｇ”により同一プリコーディングとなるＰＲＢの位置を説明する。図３は、“ＰＲＢ  ｂｕｎｄｌｉｎｇ”により同一プリコーディングとなるＰＲＢの位置を説明するための図である。ＲＢＧサイズが３でＰＲＧサイズが２の場合、ＰＲＧは異なるＲＢＧを跨いで設定される場合がある。図３では、基地局１００がＲＢＧ＃０とＲＢＧ＃１とを同一の中継局２００に割当てる例を示している。
【００４０】
図３に示す例では、ＲＢＧ＃０に含まれるＰＲＢ＃０、ＰＲＢ＃１が同一のプリコーディングである。ＲＢＧ＃０に含まれるＰＲＢ＃２とＲＢＧ＃１に含まれるＰＲＢ＃３とが、異なるＲＢＧ＃０、ＲＢＧ＃１を跨ぐ同一のプリコーディングである。ＲＢＧ＃１に含まれるＰＲＢ＃４、ＰＲＢ＃５が同一のプリコーディングである。しかし、例えば図３において、ＲＢＧ＃０がある中継局に割当てられ、ＲＢＧ＃１が他の中継局に割当てられた場合、ＲＢＧ＃０に含まれるＰＲＢ＃２と、ＲＢＧ＃１に含まれるＰＲＢ＃３とは異なるプリコーディングがかけられる場合もある。
【００４１】
つまり、図３に示す例では、ＲＢＧ＃０とＲＢＧ＃１とでは、同一プリコーディングとなるＰＲＢの位置が異なる。ＲＢＧ＃０ではＰＲＢ番号の小さい２つのＰＲＢ（ＰＲＢ＃０、ＰＲＢ＃１）が同一プリコーディングであり、ＲＢＧ＃１ではＰＲＢ番号の大きい２つのＰＲＢ（ＰＲＢ＃４、ＰＲＢ＃５）である。したがって、基地局１００は、サーチスペースに含まれるＰＲＢのうち、ＰＲＢバンドリングされるＰＲＢを、ＰＲＢの位置によって適宜変更する。
【００４２】
ここで、図４〜図１７を参照して、アグリゲーションサイズ別に、基地局１００がＲ−ＰＤＣＣＨに割当てる“ＰＲＢ  ｂｕｎｄｌｉｎｇ”の例（１）〜（１４）について説明する。なお、各図において、縦軸は周波数（Ｆｒｅｑｕｅｎｃｙ）を示し、横軸は時間（Ｔｉｍｅ）を示す。また、各図において、ＤＭ−ＲＳ（ＤＭ−ＲＳ  ｐｏｒｔ  ７，８と表記）は、ＯＦＤＭ  ｓｙｍｂｏｌ＃５、＃６、およびＯＦＤＭ  ｓｙｍｂｏｌ＃１１、＃１２に配置される。
【００４３】
（アグリゲーションサイズ２の場合）
図４（ａ）、（ｂ）を参照して、Ｒ−ＰＤＣＣＨに割当てる“ＰＲＢ  ｂｕｎｄｌｉｎｇ”の例（１）について説明する。Ｒ−ＰＤＣＣＨのアグリゲーションサイズが２である場合、基地局１００は、２つのＰＲＢを使用して、Ｒ−ＰＤＣＣＨを送信する。図４（ａ）、（ｂ）に示す例（１）では、基地局１００は、ＲＢＧに含まれるＰＲＢのうち、ＰＲＢバンドリングされる２つのＰＲＢにＲ−ＰＤＣＣＨを配置する。
【００４４】
図４（ａ）に示すように、基地局１００は、ＲＢＧ＃０ではＰＲＢ番号の小さいＰＲＢ＃０、ＰＲＢ＃１に中継局２００用のＲ−ＰＤＣＣＨを配置する。Ｒ−ＰＤＣＣＨには、ＤＬのデータ割り当てを指示する“ＤＬ  ｇｒａｎｔ”、ＵＬのデータ割り当てを指示する“ＵＬ  ｇｒａｎｔ”が含まれる。また、チャネル推定に使用されるＤＭ−ＲＳ（図４（ａ）中、ＤＭ−ＲＳ  ｐｏｒｔ  ７，８と表記）は、各スロットの後方２シンボル（ＯＦＤＭ  ｓｙｍｂｏｌ＃５、＃６、およびＯＦＤＭ  ｓｙｍｂｏｌ＃１１、＃１２）に配置されている。したがって、図４（ａ）に示す例では、中継局２００は、復号遅延を考慮し、Ｒ−ＰＤＣＣＨの下り回線のデータ割り当てを指示する“ＤＬ  ｇｒａｎｔ”について、ＲＢＧ＃０に含まれるＰＲＢ＃０およびＰＲＢ＃１のＤＭ−ＲＳでチャネル推定することができる。
【００４５】
また、図４（ｂ）に示すように、基地局１００は、ＲＢＧ＃１ではＰＲＢ番号の大きいＰＲＢ＃４、ＰＲＢ＃５に中継局２００用のＲ−ＰＤＣＣＨを配置する。Ｒ−ＰＤＣＣＨには、ＤＬのデータ割り当てを指示する“ＤＬ  ｇｒａｎｔ”、ＵＬのデータ割り当てを指示する“ＵＬ  ｇｒａｎｔ”が含まれる。また、チャネル推定に使用されるＤＭ−ＲＳ（図４（ｂ）中、ＤＭ−ＲＳ  ｐｏｒｔ  ７，８と表記）は、各スロットの後方２シンボル（ＯＦＤＭ  ｓｙｍｂｏｌ＃５、＃６、およびＯＦＤＭ  ｓｙｍｂｏｌ＃１１、＃１２）に配置されている。したがって、図４（ｂ）に示す例では、中継局２００は、復号遅延を考慮し、Ｒ−ＰＤＣＣＨの下り回線のデータ割り当てを指示する“ＤＬ  ｇｒａｎｔ”について、ＲＢＧ＃１に含まれるＰＲＢ＃４およびＰＲＢ＃５のＤＭ−ＲＳでチャネル推定することができる。
【００４６】
図４（ａ）、（ｂ）を参照して説明したように、基地局１００が、あらかじめ中継局２００がブラインドディコーディングするＰＲＢを定めると、中継局２００はアグリゲーションサイズ２のＲ−ＰＤＣＣＨを受信する場合に、隣接する２つのＰＲＢに配置されているＤＭ−ＲＳを用いて間で、同一のプリコーディングがかかっているものとしてチャネル推定することができる。したがって、本実施の形態に係る通信システムでは、中継局２００のチャネル推定精度を向上させることができる。本実施の形態に係る通信システムでは、特に、図３１に示す例に比して、Ｒ−ＰＤＣＣＨの下り回線のデータ割り当てを指示する“ＤＬ  ｇｒａｎｔ”について、中継局２００のチャネル推定精度を向上させることができる。
【００４７】
また、本実施の形態に係る通信システムでは、３つのＰＲＢのうち、Ｒ−ＰＤＣＣＨが配置されるＰＲＢを２つに定めている。よって、中継局２００は、同一のプレコーディングがかけられている２つの隣接するＰＲＢの組合せでブラインドディコーディングすればよい。そのため、本実施の形態に係る通信システムでは、中継局２００がＲＢＧに含まれる３つのＰＲＢの全ての組合せでブラインドディコーディングする場合と比較して、中継局２００がブラインドディコーディングする回数を軽減することができる。なお、本実施の形態に係る通信システムでは、ＲＢＧに含まれるどのＰＲＢが同一プリコーディングとなるかの情報については、前もって基地局１００と中継局２００との間で共有されているものとする。
【００４８】
（アグリゲーションサイズ４の場合）
図５、図６を参照して、Ｒ−ＰＤＣＣＨに割当てる“ＰＲＢ  ｂｕｎｄｌｉｎｇ”の例（２）、（３）について説明する。Ｒ−ＰＤＣＣＨのアグリゲーションサイズ４の場合、基地局１００は、４つのＰＲＢを使用して、Ｒ−ＰＤＣＣＨを送信する。図５、図６に示す例（２）、（３）では、基地局１００は、ＲＢＧに含まれるＰＲＢのうち、ＰＲＢバンドリングされる２つのＰＲＢを２セットにＲ−ＰＤＣＣＨを配置する。
【００４９】
図５に示すように、基地局１００は、ＲＢＧ＃０およびＲＢＧ＃１をサーチスペースとして指定した場合、ＲＢＧ＃０のＰＲＢ番号の小さいＰＲＢ＃０、＃１および、ＲＢＧ＃１のＰＲＢ番号の大きいＰＲＢ＃４、ＰＲＢ＃５に、中継局２００用のＲ−ＰＤＣＣＨを配置する。Ｒ−ＰＤＣＣＨには、ＤＬのデータ割り当てを指示する“ＤＬ  ｇｒａｎｔ”、ＵＬのデータ割り当てを指示する“ＵＬ  ｇｒａｎｔ”が含まれる。また、チャネル推定に使用されるＤＭ−ＲＳ（図５中、ＤＭ−ＲＳ  ｐｏｒｔ  ７，８と表記）は、各スロットの後方２シンボル（ＯＦＤＭ  ｓｙｍｂｏｌ＃５、＃６、およびＯＦＤＭ  ｓｙｍｂｏｌ＃１１、＃１２）に配置されている。したがって、図５に示す例では、中継局２００は、復号遅延を考慮し、Ｒ−ＰＤＣＣＨの下り回線のデータ割り当てを指示する“ＤＬ  ｇｒａｎｔ”について、ＲＢＧ＃０に含まれるＰＲＢ＃０、ＰＲＢ＃１およびＲＢＧ＃１に含まれるＰＲＢ＃４、ＰＲＢ＃５のＤＭ−ＲＳでチャネル推定することができる。
【００５０】
また、図６に示すように、基地局１００は、ＲＢＧ＃１およびＲＢＧ＃２をサーチスペースとして指定した場合、ＲＢＧ＃１のＰＲＢ番号の大きいＰＲＢ＃４、＃５および、ＲＢＧ＃２の  ＰＲＢ番号の小さいＰＲＢ＃６、ＰＲＢ＃７に中継局２００用のＲ−ＰＤＣＣＨを配置する。Ｒ−ＰＤＣＣＨには、ＤＬのデータ割り当てを指示する“ＤＬ  ｇｒａｎｔ”、ＵＬのデータ割り当てを指示する“ＵＬ  ｇｒａｎｔ”が含まれる。また、チャネル推定に使用されるＤＭ−ＲＳ（図６中、ＤＭ−ＲＳ  ｐｏｒｔ  ７，８と表記）は、各スロットの後方２シンボル（ＯＦＤＭ  ｓｙｍｂｏｌ＃５、＃６、およびＯＦＤＭ  ｓｙｍｂｏｌ＃１１、＃１２）に配置されている。したがって、図６に示す例では、中継局２００は、復号遅延を考慮し、Ｒ−ＰＤＣＣＨの下り回線のデータ割り当てを指示する“ＤＬ  ｇｒａｎｔ”について、ＲＢＧ＃１に含まれるＰＲＢ＃４、ＰＲＢ＃５、およびＲＢＧ＃２に含まれるＰＲＢ＃６、ＰＲＢ＃７のＤＭ−ＲＳでチャネル推定することができる。
【００５１】
図５、図６を参照して説明したように、基地局１００が、あらかじめ中継局２００がブラインドディコーディングするＰＲＢを定めると、中継局２００はアグリゲーションサイズ４のＲ−ＰＤＣＣＨを受信する場合に、隣接する２つのＰＲＢに配置されているＤＭ−ＲＳ間で同一のプリコーディングがかかっているものとしてチャネル推定することができる。したがって、本実施の形態に係る通信システムでは、中継局２００のチャネル推定精度を向上させることができる。本実施の形態に係る通信システムでは、特に、図３１に示す例に比して、Ｒ−ＰＤＣＣＨの下り回線のデータ割り当てを指示する“ＤＬ  ｇｒａｎｔ”について、中継局２００のチャネル推定精度を向上させることができる。
【００５２】
また、本実施の形態に係る通信システムでは、２ＲＢＧ分の６つのＰＲＢのうち、Ｒ−ＰＤＣＣＨが配置されるＰＲＢが４つに定められている。そのため、本実施の形態に係る通信システムでは、中継局２００がＲＢＧに含まれる６つのＰＲＢから４つを選択する全ての組合せでブラインドディコーディングする場合と比較して、中継局２００がブラインドディコーディング回数を軽減できる。
【００５３】
さらに、複数のアグリゲーションサイズについて中継局２００がブラインドディコーディングするので、本実施の形態に係る通信システムでは、中継局２００がブラインドディコーディングするＰＲＢを、例えば図５、図６に示す例のように基地局１００が定めた場合、中継局２００がアグリゲーションサイズ２でブラインドディコーディングするＰＲＢと、中継局２００がアグリゲーションサイズ４でブラインドディコーディングするＰＲＢとを一部（ＰＲＢ＃４、５）、オーバラップ（共通化）させることができる。したがって、本実施の形態に係る通信システムでは、中継局２００において、アグリゲーションサイズが変更されてもオーバラップしたＰＲＢのチャンネル推定結果を共通に用いることができるため、ＤＭ−ＲＳの受信処理回数を低減することができる。
【００５４】
次に、図７、図８を参照して、Ｒ−ＰＤＣＣＨに割当てる“ＰＲＢ  ｂｕｎｄｌｉｎｇ”の例（４）、（５）について説明する。Ｒ−ＰＤＣＣＨのアグリゲーションサイズ４の場合、基地局１００は、４つのＰＲＢを使用して、Ｒ−ＰＤＣＣＨを送信する。
【００５５】
図７に示すように、基地局１００は、ＲＢＧ＃０およびＲＢＧ＃１をサーチスペースとして指定した場合、ＲＢＧ＃０のＰＲＢ＃０、＃１、＃２および、ＲＢＧ＃１のＰＲＢ＃３の連続した４つのＰＲＢに、中継局２００用のＲ−ＰＤＣＣＨを配置しても良い。Ｒ−ＰＤＣＣＨには、ＤＬのデータ割り当てを指示する“ＤＬ  ｇｒａｎｔ”、ＵＬのデータ割り当てを指示する“ＵＬ  ｇｒａｎｔ”が含まれる。また、チャネル推定に使用されるＤＭ−ＲＳ（図７中、ＤＭ−ＲＳ  ｐｏｒｔ  ７，８と表記）は、各スロットの後方２シンボル（ＯＦＤＭ  ｓｙｍｂｏｌ＃５、＃６、およびＯＦＤＭ  ｓｙｍｂｏｌ＃１１、＃１２）に配置されている。
【００５６】
さらに、図８に示すように、基地局１００は、ＲＢＧ＃０およびＲＢＧ＃１をサーチスペースとして指定した場合、ＲＢＧ＃０のＰＲＢ＃２および、ＲＢＧ＃１のＰＲＢ＃３、４、５の連続した４つのＰＲＢ中継局２００用のＲ−ＰＤＣＣＨを配置しても良い。Ｒ−ＰＤＣＣＨには、ＤＬのデータ割り当てを指示する“ＤＬ  ｇｒａｎｔ”、ＵＬのデータ割り当てを指示する“ＵＬ  ｇｒａｎｔ”が含まれる。また、チャネル推定に使用されるＤＭ−ＲＳ（図８中、ＤＭ−ＲＳ  ｐｏｒｔ  ７，８と表記）は、各スロットの後方２シンボル（ＯＦＤＭ  ｓｙｍｂｏｌ＃５、＃６、およびＯＦＤＭ  ｓｙｍｂｏｌ＃１１、＃１２）に配置されている。
【００５７】
したがって、図７、８を参照して説明したように基地局１００が４つのＰＲＢ中継局２００用のＲ−ＰＤＣＣＨを配置すると、Ｒ−ＰＤＣＣＨに使用されない２つのＰＲＢ（例えば、図７中、ＰＲＢ＃４，５）が、同じＲＢＧ（例えば、ＲＢＧ＃１）に含まれる。したがって、基地局１００が、Ｒ−ＰＤＣＣＨに使用されない２つのＰＲＢ（例えば、図７中、ＰＲＢ＃４，５）を、中継局２００以外の他の中継局用のＲ−ＰＤＣＣＨを配置しやすくなる。これは、ＲＢＧ単位が２以上のバンド幅の場合に、ＰＲＢ単位のリソース割当て（ｔｙｐｅ１）を行うと、隣接するＲＢＧにはＰＲＢを割当てられないという制限があるからである。
【００５８】
（アグリゲーションサイズ８の場合）
図９、図１０を参照して、Ｒ−ＰＤＣＣＨに割当てる“ＰＲＢ  ｂｕｎｄｌｉｎｇ”の例（６）、（７）について説明する。Ｒ−ＰＤＣＣＨのアグリゲーションサイズ８の場合、基地局１００は、８つのＰＲＢを使用して、Ｒ−ＰＤＣＣＨを送信する。図９、図１０に示す例（６）、（７）では、基地局１００は、ＲＢＧに含まれるＰＲＢのうち、ＰＲＢバンドリングされる２つのＰＲＢを４セットにしてＲ−ＰＤＣＣＨを配置する。
【００５９】
図９に示すように、基地局１００は、ＲＢＧ＃０、ＲＢＧ＃１、およびＲＢＧ＃２をサーチスペースとして指定した場合、ＲＢＧ＃０に含まれるＰＲＢ＃０、＃１、＃２、ＲＢＧ＃１に含まれるＰＲＢ＃３、＃４、＃５、 およびＲＢＧ＃２含まれるＰＲＢ＃６、＃７に中継局２００用のＲ−ＰＤＣＣＨを配置する。Ｒ−ＰＤＣＣＨには、ＤＬのデータ割り当てを指示する“ＤＬ  ｇｒａｎｔ”、ＵＬのデータ割り当てを指示する“ＵＬ  ｇｒａｎｔ”が含まれる。また、チャネル推定に使用されるＤＭ−ＲＳ（図９中、ＤＭ−ＲＳ  ｐｏｒｔ  ７，８と表記）は、各スロットの後方２シンボル（ＯＦＤＭ  ｓｙｍｂｏｌ＃５、＃６、およびＯＦＤＭ  ｓｙｍｂｏｌ＃１１、＃１２）に配置されている。したがって、図９に示す例では、中継局２００は、復号遅延を考慮し、Ｒ−ＰＤＣＣＨの下り回線のデータ割り当てを指示する“ＤＬ  ｇｒａｎｔ”について、ＲＢＧ＃０含まれるＰＲＢ＃０、＃１、＃２、ＲＢＧ＃１に含まれるＰＲＢ＃３、＃４、＃５、およびＲＢＧ＃２含まれるＰＲＢ＃６、＃７のＤＭ−ＲＳでチャネル推定することができる。
【００６０】
また、図１０に示すように、基地局１００は、ＲＢＧ＃１、ＲＢＧ＃２、およびＲＢＧ＃３をサーチスペースとして指定した場合、ＲＢＧ＃１に含まれるＰＲＢ＃４、＃５、ＲＢＧ＃２に含まれるＰＲＢ＃６、＃７、＃８、およびＲＢＧ＃３に含まれるＰＲＢ＃９、＃１０、＃１１に中継局２００用のＲ−ＰＤＣＣＨを配置する。Ｒ−ＰＤＣＣＨには、ＤＬのデータ割り当てを指示する“ＤＬ  ｇｒａｎｔ”、ＵＬのデータ割り当てを指示する “ＵＬ  ｇｒａｎｔ”が含まれる。また、チャネル推定に使用されるＤＭ−ＲＳ（図１０中、ＤＭ−ＲＳ  ｐｏｒｔ  ７，８と表記）は、各スロットの後方２シンボル（ＯＦＤＭ  ｓｙｍｂｏｌ＃５、＃６、およびＯＦＤＭ  ｓｙｍｂｏｌ＃１１、＃１２）に配置されている。したがって、図１０に示す例では、中継局２００は、復号遅延を考慮し、Ｒ−ＰＤＣＣＨの下り回線のデータ割り当てを指示する“ＤＬ  ｇｒａｎｔ”について、ＲＢＧ＃１に含まれるＰＲＢ＃４、＃５、ＲＢＧ＃２に含まれるＰＲＢ＃６、＃７、＃８、およびＲＢＧ＃３に含まれるＰＲＢ＃９、＃１０、＃１１のＤＭ−ＲＳでチャネル推定することができる。
【００６１】
図９、図１０を参照して説明したように、基地局１００が、あらかじめ中継局２００がブラインドディコーディングするＰＲＢを定めると、中継局２００はアグリゲーションサイズ８のＲ−ＰＤＣＣＨを受信する場合に、隣接する２つのＰＲＢに配置されているＤＭ−ＲＳ間で同一のプリコーディングがかかっているものとしてチャネル推定することができる。したがって、本実施の形態に係る通信システムでは、中継局２００のチャネル推定精度を向上させることができる。本実施の形態に係る通信システムでは、特に、図３１に示す例に比して、Ｒ−ＰＤＣＣＨの下り回線のデータ割り当てを指示する“ＤＬ  ｇｒａｎｔ”について、中継局２００のチャネル推定精度を向上させることができる。
【００６２】
また、本実施の形態に係る通信システムでは、３ＲＢＧ分の９つのＰＲＢのうち、Ｒ−ＰＤＣＣＨが配置されるＰＲＢが８つに定められている。よって、中継局２００は、同一のプレコーディングがかけられている隣接する８つのＰＲＢの組合せでブラインドディコーディングすればよい。そのため、本実施の形態に係る通信システムでは、中継局２００がＲＢＧに含まれる９つのＰＲＢから８つを選択する全ての組合せでブラインドディコーディングする場合と比較して、中継局２００がブラインドディコーディング回数を軽減できる。
【００６３】
（アグリゲーションサイズ１の場合）
図１１〜図１４を参照して、Ｒ−ＰＤＣＣＨに割当てる“ＰＲＢ  ｂｕｎｄｌｉｎｇ”の例（８）〜（１１）について説明する。Ｒ−ＰＤＣＣＨのアグリゲーションサイズ１の場合、基地局１００は、１ＰＲＢのみを使用して、Ｒ−ＰＤＣＣＨを送信する。基地局１００は、ＲＢＧに含まれるＰＲＢのうち、ＰＲＢバンドリングされる２つのＰＲＢのうち１つのＰＲＢにＲ−ＰＤＣＣＨを配置する。
【００６４】
図１１に示すように、基地局１００は、ＲＢＧ＃０をサーチスペースとして指定した場合、ＲＢＧ＃０に含まれる、ＰＲＢバンドリングされる２つのＰＲＢ番号ＰＲＢ＃０、＃１のうち、ＰＲＢ＃１に中継局２００用のＲ−ＰＤＣＣＨを配置する。Ｒ−ＰＤＣＣＨには、ＤＬのデータ割り当てを指示する“ＤＬ  ｇｒａｎｔ”、ＵＬのデータ割り当てを指示する“ＵＬ  ｇｒａｎｔ”が含まれる。また、チャネル推定に使用されるＤＭ−ＲＳ（図１１中、ＤＭ−ＲＳ  ｐｏｒｔ  ７，８と表記）は、各スロットの後方２シンボル（ＯＦＤＭ  ｓｙｍｂｏｌ＃５、＃６、およびＯＦＤＭ  ｓｙｍｂｏｌ＃１１、＃１２）に配置されている。したがって、図１１に示す例では、中継局２００は、復号遅延を考慮し、Ｒ−ＰＤＣＣＨの下り回線のデータ割り当てを指示する“ＤＬ  ｇｒａｎｔ”について、ＲＢＧ＃０に含まれるＰＲＢ＃１のＤＭ−ＲＳでチャネル推定することができる。
【００６５】
ここで、図１１に示すように、基地局１００がＲＢＧ＃０に含まれるＰＲＢ＃１にＲ−ＰＤＣＣＨを配置した場合、ＲＢＧ＃０に含まれるＰＲＢ＃０にはＲ−ＰＤＣＣＨが配置されない。しかしながら、ＲＢＧ＃０に含まれるＰＲＢ＃０のＤＭ−ＲＳは、ＰＲＢ＃１のＤＭ−ＲＳと同一のプリコーディングとなる。
【００６６】
また、図１２に示すように、基地局１００は、ＲＢＧ＃０をサーチスペースとして指定した場合、ＲＢＧ＃０に含まれる、ＰＲＢバンドリングされる２つのＰＲＢ番号ＰＲＢ＃０、＃１のうち、ＰＲＢ＃０に中継局２００用のＲ−ＰＤＣＣＨを配置しても良い。Ｒ−ＰＤＣＣＨには、ＤＬのデータ割り当てを指示する“ＤＬ  ｇｒａｎｔ”、ＵＬのデータ割り当てを指示する“ＵＬ  ｇｒａｎｔ”が含まれる。また、チャネル推定に使用されるＤＭ−ＲＳ（図１２中、ＤＭ−ＲＳ  ｐｏｒｔ  ７，８と表記）は、各スロットの後方２シンボル（ＯＦＤＭ  ｓｙｍｂｏｌ＃５、＃６、およびＯＦＤＭ  ｓｙｍｂｏｌ＃１１、＃１２）に配置されている。したがって、図１２に示す例では、中継局２００は、復号遅延を考慮し、Ｒ−ＰＤＣＣＨの下り回線のデータ割り当てを指示する“ＤＬ  ｇｒａｎｔ”について、ＲＢＧ＃０に含まれるＰＲＢ＃０のＤＭ−ＲＳでチャネル推定することができる。
【００６７】
さらに、図１３に示すように、基地局１００は、ＲＢＧ＃１をサーチスペースとして指定した場合、ＲＢＧ＃１に含まれる、ＰＲＢバンドリングされる２つのＰＲＢ番号ＰＲＢ＃４、＃５のうち、ＰＲＢ＃４に中継局２００用のＲ−ＰＤＣＣＨを配置する。Ｒ−ＰＤＣＣＨには、ＤＬのデータ割り当てを指示する“ＤＬ  ｇｒａｎｔ”、ＵＬのデータ割り当てを指示する“ＵＬ  ｇｒａｎｔ”が含まれる。また、チャネル推定に使用されるＤＭ−ＲＳ（図１３中、ＤＭ−ＲＳ  ｐｏｒｔ  ７，８と表記）は、各スロットの後方２シンボル（ＯＦＤＭ  ｓｙｍｂｏｌ＃５、＃６、およびＯＦＤＭ  ｓｙｍｂｏｌ＃１１、＃１２）に配置されている。したがって、図１３に示す例では、中継局２００は、復号遅延を考慮し、Ｒ−ＰＤＣＣＨの下り回線のデータ割り当てを指示する“ＤＬ  ｇｒａｎｔ”について、ＲＢＧ＃１に含まれるＰＲＢ＃４のＤＭ−ＲＳでチャネル推定することができる。
【００６８】
また、図１４に示すように、基地局１００は、ＲＢＧ＃１をサーチスペースとして指定した場合、ＲＢＧ＃１に含まれる、ＰＲＢバンドリングされる２つのＰＲＢ番号ＰＲＢ＃４、＃５のうち、ＰＲＢ＃５に中継局２００用のＲ−ＰＤＣＣＨを配置しても良い。Ｒ−ＰＤＣＣＨには、ＤＬのデータ割り当てを指示する“ＤＬ  ｇｒａｎｔ”、ＵＬのデータ割り当てを指示する“ＵＬ  ｇｒａｎｔ”が含まれる。また、チャネル推定に使用されるＤＭ−ＲＳ（図１４中、ＤＭ−ＲＳ  ｐｏｒｔ  ７，８と表記）は、各スロットの後方２シンボル（ＯＦＤＭ  ｓｙｍｂｏｌ＃５、＃６、およびＯＦＤＭ  ｓｙｍｂｏｌ＃１１、＃１２）に配置されている。したがって、図１４に示す例では、中継局２００は、復号遅延を考慮し、Ｒ−ＰＤＣＣＨの下り回線のデータ割り当てを指示する“ＤＬ  ｇｒａｎｔ”について、ＲＢＧ＃１に含まれるＰＲＢ＃５のＤＭ−ＲＳでチャネル推定することができる。
【００６９】
図１１〜図１４を参照して説明したように、基地局１００があらかじめ中継局２００がブラインドディコーディングするＰＲＢを定めると、中継局２００はアグリゲーションサイズ１においても、Ｒ−ＰＤＣＣＨを受信する場合に、隣接するＰＲＢに配置されているＤＭ−ＲＳ間で同一のプリコーディングがかかっているものとしてチャネル推定することができる。したがって、本実施の形態に係る通信システムでは、中継局２００のチャネル推定精度を向上させることができる。本実施の形態に係る通信システムでは、特に、図３１に示す例に比して、Ｒ−ＰＤＣＣＨの下り回線のデータ割り当てを指示する“ＤＬ  ｇｒａｎｔ”について、中継局２００のチャネル推定精度を向上させることができる。
【００７０】
また、本実施の形態に係る通信システムでは、基地局１００が、ＲＢＧに含まれる３つのＰＲＢのうち、Ｒ−ＰＤＣＣＨを配置するＰＲＢを、１つ又は２つに定めることができる。よって、中継局２００は、同一のプレコーディングがかけられている１つ又は２つの隣接するＰＲＢの組合せでブラインドディコーディングすればよい。そのため、本実施の形態に係る通信システムでは、中継局２００がＲＢＧに含まれる３つのＰＲＢの全ての組合せでブラインドディコーディングする場合と比較して、中継局２００がブラインドディコーディング回数を軽減できる。
【００７１】
［ＲＢＧ  サイズ  ４、ＰＲＧ  サイズ２の場合］
（アグリゲーションサイズ２の場合）
図１５、図１６を参照して、Ｒ−ＰＤＣＣＨに割当てる“ＰＲＢ  ｂｕｎｄｌｉｎｇ”の例（１２）、（１３）について説明する。Ｒ−ＰＤＣＣＨのアグリゲーションサイズ２の場合、基地局１００は、同一プリコーディングとなる２つのＰＲＢを使用して、Ｒ−ＰＤＣＣＨを送信する。
【００７２】
図１５に示すように、基地局１００は、ＲＢＧ＃０をサーチスペースとして指定した場合、ＲＢＧ＃０のＰＲＢ番号の小さいＰＲＢ＃０、＃１に、中継局２００用のＲ−ＰＤＣＣＨを配置する。ＰＲＢバンドリングをする場合、ＲＢＧ＃０に含まれるＰＲＢ＃０、ＰＲＢ＃１が同一のプリコーディングである。Ｒ−ＰＤＣＣＨには、ＤＬのデータ割り当てを指示する“ＤＬ  ｇｒａｎｔ”、ＵＬのデータ割り当てを指示する“ＵＬ  ｇｒａｎｔ”が含まれる。また、チャネル推定に使用されるＤＭ−ＲＳ（図１５中、ＤＭ−ＲＳ  ｐｏｒｔ  ７，８と表記）は、各スロットの後方２シンボル（ＯＦＤＭ  ｓｙｍｂｏｌ＃５、＃６、およびＯＦＤＭ  ｓｙｍｂｏｌ＃１１、＃１２）に配置されている。したがって、図１５に示す例では、中継局２００は、復号遅延を考慮し、Ｒ−ＰＤＣＣＨの下り回線のデータ割り当てを指示する“ＤＬ  ｇｒａｎｔ”について、ＲＢＧ＃０に含まれるＰＲＢ＃０、ＰＲＢ＃１のＤＭ−ＲＳでチャネル推定することができる。
【００７３】
図１６に示すように、基地局１００は、ＲＢＧ＃０をサーチスペースとして指定した場合、ＲＢＧ＃０のＰＲＢ番号のＰＲＢ＃２、＃３に、中継局２００用のＲ−ＰＤＣＣＨを配置する。ＲＢＧ＃０に含まれるＰＲＢ＃２とＰＲＢ＃３が同一のプリコーディングである。Ｒ−ＰＤＣＣＨには、ＤＬのデータ割り当てを指示する“ＤＬ  ｇｒａｎｔ”、ＵＬのデータ割り当てを指示する“ＵＬ  ｇｒａｎｔ”が含まれる。また、チャネル推定に使用されるＤＭ−ＲＳ（図１６中、ＤＭ−ＲＳ  ｐｏｒｔ  ７，８と表記）は、各スロットの後方２シンボル（ＯＦＤＭ  ｓｙｍｂｏｌ＃５、＃６、およびＯＦＤＭ  ｓｙｍｂｏｌ＃１１、＃１２）に配置されている。したがって、図１６に示す例では、中継局２００は、復号遅延を考慮し、Ｒ−ＰＤＣＣＨの下り回線のデータ割り当てを指示する“ＤＬ  ｇｒａｎｔ”について、ＲＢＧ＃０に含まれるＰＲＢ＃２、ＰＲＢ＃３のＤＭ−ＲＳでチャネル推定することができる。
【００７４】
［ＲＢＧ  サイズ３、ＰＲＧサイズ３の場合］
（アグリゲーションサイズ４の場合）
図１７を参照して、Ｒ−ＰＤＣＣＨに割当てる“ＰＲＢ  ｂｕｎｄｌｉｎｇ”の例（１４）について説明する。ここで、Ｒ−ＰＤＣＣＨのアグリゲーションサイズが４の場合、基地局は、２つのＲＢＧから４つのＰＲＢを使用して、Ｒ−ＰＤＣＣＨを送信する。ＰＲＧサイズが３の場合、ＲＢＧに含まれる３つのＰＲＢ全てが同一の中継局に割当てられ、基地局は、同一プリコーディングでＲ−ＰＤＣＣＨを送信する。基地局は、ＲＢＧ＃０およびＲＢＧ＃１をサーチスペースとして指定し、ＲＢＧ＃０の３ＰＲＢ、ＲＢＧ＃１の１ＰＲＢを使用してＲ−ＰＤＣＣＨを送信する場合、中継局は、ＲＢＧ＃１においては１ＰＲＢのＤＭ−ＲＳのみを使用して、チャネル推定をすることになる。これは、Ｒ−ＰＤＣＣＨに使用されないＲＢＧ＃１の２つのＰＲＢが、Ｒ−ＰＤＣＣＨが送信されている中継局以外の他の中継局に割当てられる可能性があり、その場合ＤＭ−ＲＳのプリコーディングは異なるプリコーディングがかかるからである。
【００７５】
そこで、本実施の形態では、図１７に示すように、アグリゲーションサイズ４の場合、中継局２００は、ＲＢＧごとに２ＰＲＢずつ、中継局２００用のＲ−ＰＤＣＣＨを配置する。図１７に示すように、基地局１００は、ＲＢＧ＃０及びＲＢＧ＃１をサーチスペースとして指定した場合、ＲＢＧ＃０から２ＰＲＢ（ＰＲＢ＃０、１）、及びＲＢＧ＃１から２ＰＲＢ（ＰＲＢ＃３、４）に、中継局２００用のＲ−ＰＤＣＣＨを配置する。Ｒ−ＰＤＣＣＨには、ＤＬのデータ割り当てを指示する“ＤＬ  ｇｒａｎｔ”、ＵＬのデータ割り当てを指示する“ＵＬ  ｇｒａｎｔ”が含まれる。また、チャネル推定に使用されるＤＭ−ＲＳ（図１７中、ＤＭ−ＲＳ  ｐｏｒｔ  ７，８と表記）は、各スロットの後方２シンボル（ＯＦＤＭ  ｓｙｍｂｏｌ＃５、＃６、およびＯＦＤＭ  ｓｙｍｂｏｌ＃１１、＃１２）に配置されている。したがって、図１７に示す例では、中継局２００は、復号遅延を考慮し、Ｒ−ＰＤＣＣＨの下り回線のデータ割り当てを指示する“ＤＬ  ｇｒａｎｔ”について、ＲＢＧ＃０に含まれるＰＲＢ＃０、ＰＲＢ＃１及びＲＢＧ＃１に含まれるＰＲＢ＃３、ＰＲＢ＃４のＤＭ−ＲＳでチャネル推定することができる。
【００７６】
次に、図１８を参照して、基地局１００の構成について説明する。図１８は、基地局１００のブロック図である。図１８に示す基地局１００は、受信アンテナ１０１と、無線受信部１０３と、復調部１０５と、誤り訂正復号部１０７と、誤り訂正符号化部１０９と、Ｒ−ＰＤＣＣＨ用サーチスペース決定部１１１と、変調部１１３と、Ｒ−ＰＤＣＣＨ用ＰＲＢ決定部１１５と、Ａｇｇｒｅｇａｔｉｏｎ  ｓｉｚｅ  決定部１１７と、無線送信部１１９と、信号割当部１２１と、送信アンテナ１２３と、を備える。
【００７７】
無線受信部１０３は、中継局２００からの信号を、受信アンテナ１０１を介して受信し、ダウンコンバート等の無線処理を施し復調部１０５へ出力する。
【００７８】
復調部１０５は、無線受信部１０３から入力された信号を復調し、誤り訂正復号部１０７へ出力する。
【００７９】
誤り訂正復号部１０７は、復調部１０５から入力された信号を復号し、受信信号を出力する。
【００８０】
誤り訂正符号化部１０９は、送信信号およびＲ−ＰＤＣＣＨ用サーチスペース決定部１１１から入力されるＲ−ＰＤＣＣＨのサーチスペース情報を入力とし、送信信号を誤り訂正符号化し、変調部１１３へ出力する。ここで、Ｒ−ＰＤＣＣＨのサーチスペース情報とは、システム帯域幅情報（ＢＷ情報）に基づいて、中継局２００用の制御信号（Ｒ−ＰＤＣＣＨ）を送信するリソース領域の候補を示す情報である。また、サーチスペース情報は、ＲＢＧ単位又はＰＲＢ単位で生成される。
【００８１】
Ｒ−ＰＤＣＣＨ用サーチスペース決定部１１１は、システム帯域幅情報（ＢＷ情報）に基づいて、ＰＲＢバンドリンググループサイズ（ＰＲＧサイズ）、およびＲＢＧサイズを生成する。また、Ｒ−ＰＤＣＣＨ用サーチスペース決定部１１１は、中継局２００用の制御信号（Ｒ−ＰＤＣＣＨ）を送信するリソース領域の候補としてサーチスペースを決定し、Ｒ−ＰＤＣＣＨのサーチスペース情報を生成する。そして、Ｒ−ＰＤＣＣＨ用サーチスペース決定部１１１は、生成したＲ−ＰＤＣＣＨのサーチスペース情報を誤り訂正符号化部１０９に出力する。また、Ｒ−ＰＤＣＣＨ用サーチスペース決定部１１１は、ＰＲＢバンドリングサイズ、ＲＢＧサイズ、および生成したサーチスペース情報をＲ−ＰＤＣＣＨ用ＰＲＢ決定部１１５に出力する。
【００８２】
Ａｇｇｒｅｇａｔｉｏｎ  ｓｉｚｅ  決定部１１７は、自局と中継局２００との間の回線品質情報（ｅＮＢ−ＲＮ回線品質情報）に応じて、制御信号のアグリゲーションサイズを決定する。そして、Ａｇｇｒｅｇａｔｉｏｎ  ｓｉｚｅ  決定部１１７は、制御信号を決定したアグリゲーションサイズに応じて符号化し、Ｒ−ＰＤＣＣＨ用ＰＲＢ決定部１１５へ出力する。
【００８３】
Ｒ−ＰＤＣＣＨ用ＰＲＢ決定部１１５は、Ｒ−ＰＤＣＣＨのアグリゲーションサイズ、自局と中継局２００との間の回線品質情報、サーチスペース情報、およびＲＢＧサイズから、Ｒ−ＰＤＣＣＨ用サーチスペースに含まれるＰＲＢのうち、実際にＲ−ＰＤＣＣＨを送信するＰＲＢを決定する。さらに、Ｒ−ＰＤＣＣＨ用ＰＲＢ決定部１１５は、サーチスペースに含まれるＰＲＢのうち、ＰＲＢバンドリングされるＰＲＢを選択して、Ｒ−ＰＤＣＣＨを割当てる。つまり、Ｒ−ＰＤＣＣＨ用ＰＲＢ決定部１１５は、サーチスペースに含まれるＰＲＢのうち、ＰＲＢバンドリングされるＰＲＢを選択して、中継局２００用の制御信号であるＲ−ＰＤＣＣＨを割当てる割当て部としても機能する。ＰＲＢに割当てられたＲ−ＰＤＣＣＨは、ＰＲＧごとにプリコーディングがかけられ、無線送信部１１９へ出力される。また、ＤＭ−ＲＳにもＰＲＧごとにプリコーディングがかけられ、無線送信部１１９へ出力される。
【００８４】
変調部１１３は、送信信号を変調し、信号割当部１２１へ出力する。
【００８５】
信号割当部１２１は、変調部１１３から入力された送信信号をリソースに割当て、無線送信部１１９へ出力する。
【００８６】
無線送信部１１９は、信号割当部１２１でリソースに割当てられた送信信号に対してアップコンバート等の無線処理を施して、送信アンテナ１２３から中継局２００へ送信する。
【００８７】
次に、図１９を参照して、中継局２００の構成について説明する。図１９は、中継局２００のブロック図である。図１９に示す中継局２００は、受信アンテナ２０１と、無線受信部２０３と、信号分離部２０５と、ブラインドディコーディング決定部２０７と、Ｒ−ＰＤＣＣＨ受信部２０９と、復調部２１１と、誤り訂正復号部２１３と、誤り訂正符号化部２１５と、変調部２１７と、信号割当部２１９と、無線送信部２２１と、送信アンテナ２２３と、を備える。また、ブラインドディコーディング決定部２０７と、Ｒ−ＰＤＣＣＨ受信部２０９とは、ブラインドディコーディング部２２５を構成する。
【００８８】
無線受信部２０３は、基地局１００からの信号を、受信アンテナ２０１を介して受信し、ダウンコンバート等の無線処理を施し信号分離部２０５へ出力する。
【００８９】
信号分離部２０５は、ブラインドディコーディング決定部２０７から入力されるブラインドディコーディング情報に基づき、無線受信部２０３から入力された受信信号から、ブラインドディコーディングする信号を分離する。分離されたブラインドディコーディングする信号は、Ｒ−ＰＤＣＣＨ受信部２０９に出力される。また、信号分離部２０５は、Ｒ−ＰＤＣＣＨ受信部２０９から指示された中継局用データを分離し、分離した中継局用データを復調部２１１へ出力する。
【００９０】
復調部２１１は、信号分離部２０５から入力された信号を復調し、誤り訂正復号部２１３へ出力する。
【００９１】
誤り訂正復号部２１３は、復調部２１１から入力された信号を復号し、復号した信号に含まれるＲ−ＰＤＣＣＨのサーチスペース情報をブラインドディコーディング決定部２０７へ出力し、受信信号を、誤り訂正符号化部２１５へ出力する。
【００９２】
ブラインドディコーディング決定部２０７は、Ｒ−ＰＤＣＣＨのサーチスペース情報（Ｒ−ＰＤＣＣＨ割り当て情報）がＲＢＧ単位の場合、システム帯域幅情報（ＢＷ情報）より、ＲＢＧサイズおよびＰＲＢバンドリングサイズを生成する。また、ブラインドディコーディング決定部２０７は、サーチスペースに含まれるＰＲＢのうち、ブラインドディコーディングするＰＲＢをアグリゲーションサイズにごとに定めて、ブラインドディコーディング情報を生成し、信号分離部２０５、およびＲ−ＰＤＣＣＨ受信部２０９へ出力する。なお、ブラインドディコーディング決定部２０７は、ブラインドディコーディング部２２５の一部を構成する。
【００９３】
ここで、ブラインドディコーディング情報とは、サーチスペースに含まれるＰＲＢのうち、ブラインドディコーディングするＰＲＢを示す情報であり、アグリゲーションサイズに応じて変化する。ブラインドディコーディングするＰＲＢとは、自局用にＲ−ＰＤＣＣＨが配置されたＰＲＢである。
【００９４】
Ｒ−ＰＤＣＣＨ受信部２０９は、ブラインドディコーディング情報に基づき、ブラインドディコーディングを行い、Ｒ−ＰＤＣＣＨを検出する。そして、Ｒ−ＰＤＣＣＨに含まれる“ＤＬ  ｇｒａｎｔ”は信号分離部２０５へ出力され、Ｒ−ＰＤＣＣＨに含まれる“ＵＬ  ｇｒａｎｔ”は信号割当て部２１９へ出力される。なお、Ｒ−ＰＤＣＣＨ受信部２０９は、ブラインドディコーディング部２２５の一部を構成する。
【００９５】
誤り訂正符号化部２１５は、誤り訂正復号部２１３で誤り訂正復号化された信号を誤り訂正符号化し、変調部２１７へ出力する。
【００９６】
信号割当部２１９は、Ｒ−ＰＤＣＣＨ受信部から出力された“ＵＬ  ｇｒａｎｔ”に従って、信号を割り当て、無線送信部２２１へ出力する。
【００９７】
無線送信部２２１は、割当てられた信号に対してアップコンバート等の無線処理を施して、送信アンテナ２２３から基地局１００へ送信する。
【００９８】
なお、上記実施の形態に係る通信システムでは、図２に示すＰＲＧサイズを用いたが、これに限らない。本実施の形態に係る通信システムにおいて、リファレンス信号のＳＮＲを高めつつ、周波数選択性フェージングの影響が均一で、良好なビームを設定するために、ＰＲＧサイズはシステム帯域幅に対して適宜変更しても良い。
【００９９】
（実施の形態２）
実施の形態２に係る通信システムでは、基地局３００が、例えば、ＲＢＧを構成する複数の物理リソースブロック（ＰＲＢ）のうち、中継局４００がブラインドディコーディングするアグリゲーションサイズ２のＲ−ＰＤＣＣＨを、同一リソースブロックグループ（ＲＢＧ）を構成するＰＲＢに配置する。このように配置すると、アグリゲーションサイズ２のＲ−ＰＤＣＣＨが占有するＲＢＧ数が１つになるので、中継局４００または移動局の（Ｒ−）ＰＤＳＣＨに割り当てることができるＲＢＧ数が増える。
【０１００】
Ｒ−ＰＤＣＣＨのサーチスペースは、論理チャネルでＶＲＢ（Ｖｉｒｔｕａｌ  Ｒｅｓｏｕｒｃｅ  Ｂｌｏｃｋ）に割当てられた後、物理チャネルでＰＲＢに割り当てられることが検討されている。この場合も、選択されるＰＲＢによって、Ｒ−ＰＤＣＣＨに使用されるＲＢＧ数が変化する。
【０１０１】
図２０を参照して、Ｒ−ＰＤＣＣＨのサーチスペースを論理チャネルで割当てたＶＲＢから、物理チャネルでＰＲＢへ割り当てる例を示す。
【０１０２】
図２０に示すようにＶＲＢでは、アグリゲーションサイズ（“Ａｇｇｒｅｇａｔｉｏｎ  ｓｉｚｅ”）１のＲ−ＰＤＣＣＨのサーチスペースはＶＲＢ＃０〜＃５、アグリゲーションサイズ２のＲ−ＰＤＣＣＨのサーチスペースもＶＲＢ＃０〜＃５である。また、アグリゲーションサイズ２ではＶＲＢ＃０とＶＲＢ＃１とがセット、ＶＲＢ＃２とＶＲＢ＃３とがセット、ＶＲＢ＃４とＶＲＢ＃５とがセットになっている。
【０１０３】
ここでセットとは、１つのＲ−ＰＤＣＣＨを送信する単位を示している。つまり、図２０中、楕円で示されたアグリゲーションサイズ２のＶＲＢ＃０とＶＲＢ＃１とのセットは、１つのＲ−ＰＤＣＣＨが２ＲＢにわたって送信されることを示している。なお、図２０中、円又は楕円の中の数字は、セット番号を示している。以下、セット番号はセット＃ｎで表わす。つまり、セット番号１の場合、セット＃１と表す。
【０１０４】
図２０に示すように、アグリゲーションサイズ４のＲ−ＰＤＣＣＨのサーチスペースはＶＲＢ＃０〜＃７であり、アグリゲーションサイズ４ではＶＲＢ＃０〜ＶＲＢ＃３がセット＃０、ＶＲＢ＃４〜ＶＲＢ＃７がセット＃１になっている。また、アグリゲーションサイズ８のＲ−ＰＤＣＣＨのサーチスペースはＶＲＢ＃０〜＃７であり、ＶＲＢ＃０〜ＶＲＢ＃７がセット＃０となっている。したがって、アグリゲーションサイズ１は６セット（セット＃０〜セット＃６）、アグリゲーションサイズ２は３セット（セット＃０〜セット＃３）、アグリゲーションサイズ４は２セット（セット＃０〜セット＃１）、アグリゲーションサイズ８は１セット（セット＃０）のＲ−ＰＤＣＣＨが送信される候補が用意されている。基地局３００は、この中からＲ−ＰＤＣＣＨを送信するセットを選択する。
【０１０５】
図２０では、ＶＲＢからＰＲＢへＲ−ＰＤＣＣＨのサーチスペースをマッピングする際に、連続したＰＲＢに割り当てている。この場合、例えば、ＲＢＧサイズが３であると、アグリゲーションサイズ２のセットが２つのＲＢＧに跨って配置される。図２０では、アグリゲーションサイズ２のセット＃１が、ＲＢＧ＃０とＲＢＧ＃１とに跨って配置されている。このように、複数のＲＢＧ（例えば、ＲＢＧ＃０とＲＢＧ＃１）を跨ってアグリゲーションサイズ２のセットが配置されると、ＲＢＧの内の１ＰＲＢのみがＲ−ＰＤＣＣＨに使用されるにもかかわらず、そのＲＢＧを移動局または他の中継局４００の（Ｒ−）ＰＤＳＣＨに割り当てることができなくなる。したがって、基地局３００のスケジューリングの柔軟性が悪くなる。
【０１０６】
そこで、本実施の形態では、基地局３００は、アグリゲーションサイズ２のセットを、ＲＢＧサイズ２以上では、複数のＲＢＧに跨がらずに１つのＲＢＧ内に配置する。１つのＲＢＧ内に配置することで、Ｒ−ＰＤＣＣＨが配置されるＲＢＧ数を削減できる。また、基地局３００は、Ｒ−ＰＤＣＣＨにＰＲＢバンドリングを実施し、ＰＲＢバンドリングサイズがＲＢＧサイズと等しいまたは、ＰＲＢバンドリングサイズの整数倍がＲＢＧサイズの場合、アグリゲーションサイズ２のＲ−ＰＤＣＣＨが送信される２つのＰＲＢに同一プリコーディングを使用できる。
【０１０７】
図２１にＲＢＧサイズ３の場合の配置例を示す。本例では、ＲＢＧ単位でＰＲＢの割り当てを基地局３００から中継局４００へ指示する。基地局３００は、ＶＲＢの２ＲＢ単位でＰＲＢにＲ−ＰＤＣＣＨのサーチスペースをマッピングする。基地局３００は、ＲＢＧ＃０、ＲＢＧ＃１、ＲＢＧ＃２、ＲＢＧ＃３をＲ−ＰＤＣＣＨのサーチスペースに割り当てると中継局４００に通知するが、ＶＲＢがマッピングされるＰＲＢは、ＲＢＧを構成する３ＰＲＢのうち２つのＰＲＢに限定されている。図２１では、ＲＢＧを構成する３ＰＲＢのうちＰＲＢ番号の小さいものから２つのＰＲＢが選択されている。つまり、ＲＢＧ＃０に含まれるＰＲＢ＃０、＃１、ＲＢＧ＃１に含まれるＰＲＢ＃３、＃４、ＲＢＧ＃２に含まれるＰＲＢ＃６、＃７、ＲＢＧ＃３に含まれるＰＲＢ＃９、＃１０がＶＲＢをマッピングするＰＲＢとなる。また、ＶＲＢからＰＲＢへのマッピングでは、ＲＢ番号の小さいものから順に割り当てられている。したがって、ＶＲＢ＃０がＰＲＢ＃０にマッピングされ、ＶＲＢ＃７がＰＲＢ＃１０にマッピングされる。
【０１０８】
たとえば、アグリゲーションサイズ４のセットは、２つのＲＢＧにそれぞれ２つのＰＲＢずつ配置される。つまり、アグリゲーションサイズ４のセット＃０は、ＲＢＧ＃０の２つのＰＲＢ（ＰＲＢ＃０、＃１）とＲＢＧ＃１の２つのＰＲＢ（ＰＲＢ＃３、＃４）に配置され、アグリゲーションサイズ４のセット＃１は、ＲＢＧ＃２の２つのＰＲＢ（ＰＲＢ＃６、＃７）とＲＢＧ＃３の２つのＰＲＢ（ＰＲＢ＃９、＃１０）に配置される。
【０１０９】
なお、ＶＲＢがマッピングされる２ＲＢの選び方は、本例ではＰＲＢ番号の小さいものから２つのＰＲＢが選択されているが、大きい２つのＰＲＢとしてもよいし、両端の２つのＰＲＢとしてもよい。
【０１１０】
このように、本実施の形態では、基地局３００はＲＢＧ単位でＶＲＢをマッピングするＰＲＢを通知するが、中継局４００では通知されたＲＢＧを構成するＰＲＢの中から、サーチスペースとなるＰＲＢを限定し、ブラインドディコーディングを行う。このようにＲＢＧ単位で通知を行うことで、通知に必要となるビット数を削減することができる。
【０１１１】
また、基地局３００がＶＲＢをマッピングするＲＢＧを通知する方法として、マッピングするＲＢＧのうちＲＢＧ番号の小さいＲＢＧと、ＲＢＧ間の間隔を指定してもよい。このとき、間隔の情報は基地局３００から中継局４００に通知しても良いし、あらかじめ基地局３００と中継局４００間で共有して保持していても良い。たとえばＲＢＧ＃１と間隔３が指定された場合、ＲＢＧ＃１、ＲＢＧ＃４、ＲＢＧ＃７、ＲＢＧ＃１０がＶＲＢをマッピングするＲＢＧに指定される。
【０１１２】
図２２にＲＢＧサイズ４の場合の配置例（１）を示す。ＶＲＢは図２１と同一である。本例も、ＲＢＧ単位でＰＲＢの割り当てを基地局３００から中継局４００へ指示する。図２２に示す例では、基地局３００は、ＶＲＢの２ＲＢ単位でＰＲＢにマッピングする。基地局３００は、図２１と同様にＲＢＧ＃０、ＲＢＧ＃１、ＲＢＧ＃２、ＲＢＧ＃３をＲ−ＰＤＣＣＨのサーチスペースに割り当てると中継局４００に通知する。そして、ＶＲＢがマッピングされるＰＲＢは、ＲＢＧを構成する４ＰＲＢのうち２つのＰＲＢに限定されている。小さいものから２つのＰＲＢを選択する例では、ＲＢＧ＃０に含まれるＰＲＢ＃０、＃１、ＲＢＧ＃１に含まれるＰＲＢ＃４、＃５、ＲＢＧ＃２に含まれるＰＲＢ＃８、＃９、ＲＢＧ＃３に含まれるＰＲＢ＃１２、＃１３がＶＲＢをマッピングするＰＲＢとなる。ＶＲＢからＰＲＢへのマッピングでは、ＲＢ番号の小さいものから順に割り当てられている。したがって、ＶＲＢ＃０がＰＲＢ＃０にマッピングされ、ＶＲＢ＃７がＰＲＢ＃１３にマッピングされる。このとき、アグリゲーションサイズ４のセットは、２ＲＢＧにそれぞれ２つのＰＲＢずつ配置される。
【０１１３】
なお、２つのＰＲＢの選び方は、本例ではＰＲＢ番号の小さいものから２つのＰＲＢが選択されているが、大きい２つのＰＲＢとしてもよいし、他の組み合わせの２つのＰＲＢとしてもよい。
【０１１４】
図２３にＲＢＧサイズ４の場合の配置例（２）を示す。図２３に示す例では、ＲＢＧ単位でＰＲＢの割り当てを基地局３００から中継局４００へ指示する。本例では、基地局３００は、ＶＲＢの４ＲＢ単位でＰＲＢにＲ−ＰＤＣＣＨのサーチスペースをマッピングする。ＲＢＧサイズが４の場合、Ｒ−ＰＤＣＣＨのサーチスペースがＶＲＢの４ＲＢ単位でＲＢＧにマッピングされると、１つのＲＢＧ内にアグリゲーションサイズ１、２、４のセットが配置される。
【０１１５】
図２３に示す例では、基地局３００は、ＲＢＧ＃０、ＲＢＧ＃２をＲ−ＰＤＣＣＨのサーチスペースに割り当てると中継局４００に通知し、ＶＲＢがマッピングされるＰＲＢは、ＲＢＧを構成する４ＰＲＢの全てのＰＲＢとする。ＶＲＢからＰＲＢへのマッピングでは、ＲＢ番号の小さいものから順に割り当てられている。したがって、ＶＲＢ＃０がＰＲＢ＃０にマッピングされ、ＶＲＢ＃７がＰＲＢ＃１１にマッピングされる。このとき、アグリゲーションサイズ４のセットは、１ＲＢＧ内に配置される。
【０１１６】
ＶＲＢが２ＲＢ単位でＰＲＢに割り当てられる図２２に示す例とＶＲＢが４ＲＢ単位でＰＲＢに割り当てられる図２３に示す例のどちらの例を使用するかはあらかじめ基地局３００が定めておく方法（１）と、割り当てられるＲＢＧ数によって基地局３００が動的または準静的（ｓｅｍｉ−ｓｔａｔｉｃ）に変える方法（２）がある。あらかじめ基地局３００が定めておく方法（１）では、ＲＢＧサイズにかかわらず、基地局３００は、ＶＲＢの２ＲＢ単位でＰＲＢにマッピングする。このとき、ＲＢＧサイズ１では、ＲＢＧを構成するＲＢ数が１なので、２ＲＢで割り当てることができない。そこで、基地局３００が指示したＲＢＧとそのＲＢＧに隣接するＲＢＧを使用して２ＲＢを割り当てるように設定しても良い。割り当てられるＲＢＧ数によって図２２に示す例と図２３に示す例とを動的または準静的に変える方法（２）では、ＲＢＧサイズ４の場合に、Ｒ−ＰＤＣＣのサーチスペースに設定されたＶＲＢサイズが、基地局３００から割り当てられたＲＢＧ数の２倍以下の場合、図２２に示す例を使用し、基地局３００から割り当てられたＲＢＧ数の２倍よりも大きく、４倍以下の場合、図２３に示す例を使用する。このように図２２に示す例と図２３に示す例とを動的または準静的に切換えることができると、基地局３００のスケジューラの柔軟性が向上する。
【０１１７】
また、ＲＢＧサイズが４で、ＶＲＢが２ＲＢ単位でＰＲＢに割り当てられる場合、基地局３００は、中継局ごとに、ＰＲＢ番号が小さい２ＲＢを使用するか、ＰＲＢ番号が大きい２つのＰＲＢを使用するか、選択できるようにしてもよい。このようにすると、同一ＲＢＧを２つの中継局に割り当て、ある中継局は小さい番号の２つのＰＲＢを使用し、もう一方の中継局は大きい番号の２つのＰＲＢを使用し、２つの中継局のＲ−ＰＤＣＣＨを同一ＲＢＧに配置することができる。また小さい番号のＰＲＢと大きい番号のＰＲＢの２つのＰＲＢに分割することで、ＰＲＢバンドリングを実施する場合、それぞれ２ＲＢは同一プリコーディングを使用することができる。
【０１１８】
また、ＲＢＧサイズが３で、ＶＲＢが２ＲＢ単位でＰＲＢに割り当てられる場合、基地局３００は、中継局ごとに、ＰＲＢ番号が小さい２ＲＢを使用するか、ＰＲＢ番号が大きい２つのＰＲＢを使用するか、選択できるようにしてもよい。このようにすると、同一ＲＢＧを２つの中継局に割り当て、ある中継局は小さい番号の２つのＰＲＢを使用し、もう一方の中継局は大きい番号の２つのＰＲＢを使用すると、真ん中の番号のＰＲＢは共有することになるが、片方の中継局がアグリゲーションサイズ１で、もう片方の中継局がアグリゲーションサイズ２の場合、２つの中継局のＲ−ＰＤＣＣＨを同一ＲＢＧに配置することができる。
【０１１９】
また、ＲＢＧサイズ１ではＶＲＢが１ＲＢ単位でＰＲＢに割り当てられ、ＲＢＧサイズ２、３ではＶＲＢが２ＲＢ単位でＰＲＢに割り当てられ、ＲＢＧサイズ４ではＶＲＢが４ＲＢ単位でＰＲＢに割り当てられると、基地局３００があらかじめ定めておいても良い。
【０１２０】
また、基地局３００が、Ｒ−ＰＤＣＣＨのサーチスペースをＶＲＢからＰＲＢにマッピングせずに、直接ＰＲＢにマッピングしてもよい。基地局３００が、直接マッピングする場合は、ＲＢＧサイズごとに異なるサーチスペースを直接ＰＲＢに設定する。設定するＰＲＢの選択方法は、上記の方法が使用できる。上記において、ＶＲＢのサイズは、サーチスペースのＲＢのサイズに置き換えられる。
【０１２１】
また、基地局３００は、ＶＲＢのＰＲＢへのマッピングを１対１に設定する場合、ＲＢＧサイズごとに異なるサーチスペースをＶＲＢに割り当てる。ＶＲＢの割り当て方法として、上記ＰＲＢの割当方法を使用できる。図２４に１対１マッピングの例を示す。
【０１２２】
ＲＢＧサイズが３の場合、ＶＲＢにＲ−ＰＤＣＣＨを割り当てる際に、アグリゲーションサイズ２のセットがマッピング先のＰＲＢにおいて、１つのＲＢＧ内のＲＢに配置されるように配置する。このとき、アグリゲーションサイズ８は、ＶＲＢの連続するＲＢ＃０〜＃７に割り当ててもよい。このようにすると、アグリゲーションサイズ８のセットが割り当てられるＲＢＧ数が３になる。アグリゲーションサイズ４と同様に、ＶＲＢの連続するＲＢ＃０、＃１、＃３、＃４、＃６、＃７、＃９、＃１０に割り当てると、アグリゲーションサイズ８のセットが割り当てられるＲＢＧ数が４になるので、１ＲＢＧ割り当てられるＲＢＧ数を少なくできる。
【０１２３】
また、アグリゲーションサイズごとに、異なるＰＲＢにマッピングしてもよい。
【０１２４】
サーチスペースの設定は、“ＤＬ  ｇｒａｎｔ”と“ＵＬ  ｇｒａｎｔ”と共通設定にしてもよいし、個別に設定してもよい。
【０１２５】
なお、アグリゲーションごとのセット数は、上記の値に限定されない。アグリゲーションサイズ１が６セット、アグリゲーションサイズ２が６セット、アグリゲーションサイズ４が２セット、アグリゲーションサイズ８が２セットとしてもよいし、他の値でもよい。
【０１２６】
図２５は、実施の形態２の基地局３００の構成を示すブロック図である。実施の形態２の基地局３００は、受信アンテナ１０１と、無線受信部１０３と、復調部１０５と、誤り訂正復号部１０７と、誤り訂正符号化部１０９と、Ｒ−ＰＤＣＣＨ用サーチスペース決定部３１１と、変調部１１３と、Ｒ−ＰＤＣＣＨ用ＰＲＢ決定部３１５と、Ａｇｇｒｅｇａｔｉｏｎ  ｓｉｚｅ  決定部１１７と、無線送信部１１９と、信号割当部１２１と、送信アンテナ１２３とを備える。実施の形態２の基地局３００が第１の実施形態の基地局１００と異なる点は、Ｒ−ＰＤＣＣＨ用サーチスペース決定部１１１と、Ｒ−ＰＤＣＣＨ用ＰＲＢ決定部１１５に代えて、Ｒ−ＰＤＣＣＨ用サーチスペース決定部３１１と、Ｒ−ＰＤＣＣＨ用ＰＲＢ決定部３１５と、を備える点である。この点以外は実施の形態１と同様であり、図２５において、図１８と共通する構成要素には同じ参照符号が付されている。
【０１２７】
無線受信部１０３は、中継局４００からの信号を、受信アンテナ１０１を介して受信し、ダウンコンバート等の無線処理を施し復調部１０５へ出力する。
【０１２８】
復調部１０５は、無線受信部１０３から入力された信号を復調し、誤り訂正復号部１０７へ出力する。
【０１２９】
誤り訂正復号部１０７は、復調部１０５から入力された信号を復号し、受信信号を出力する。
【０１３０】
誤り訂正符号化部１０９は、送信信号およびＲ−ＰＤＣＣＨ用サーチスペース決定部３１１から入力されるＲ−ＰＤＣＣＨのサーチスペース情報を入力とし、送信信号を誤り訂正符号化し、変調部１１３へ出力する。ここで、Ｒ−ＰＤＣＣＨのサーチスペース情報とは、システム帯域幅情報（ＢＷ情報）に基づいて、中継局４００用の制御信号（Ｒ−ＰＤＣＣＨ）を送信するリソース領域の候補を示す情報である。また、サーチスペース情報は、ＲＢＧ単位又はＰＲＢ単位で生成される。
【０１３１】
Ｒ−ＰＤＣＣＨ用サーチスペース決定部３１１は、システム帯域幅情報（ＢＷ情報）に基づいて、ＰＲＧサイズ、およびＲＢＧサイズを生成する。また、Ｒ−ＰＤＣＣＨ用サーチスペース決定部３１１は、中継局４００用の制御信号（Ｒ−ＰＤＣＣＨ）を送信するリソース領域の候補としてサーチスペースを決定し、Ｒ−ＰＤＣＣＨのサーチスペース情報を生成する。ここで、図２０〜図２４を参照して説明したように、本実施の形態に係るＲ−ＰＤＣＣＨのサーチスペース情報は、論理チャネルでＶＲＢ（Ｖｉｒｔｕａｌ  Ｒｅｓｏｕｒｃｅ  Ｂｌｏｃｋ）に割当てられた後、物理チャネルでＰＲＢに割り当てられていてもよい。そして、Ｒ−ＰＤＣＣＨ用サーチスペース決定部３１１は、生成したＲ−ＰＤＣＣＨのサーチスペース情報を誤り訂正符号化部１０９に出力する。また、Ｒ−ＰＤＣＣＨ用サーチスペース決定部３１１は、ＰＲＧサイズ、ＲＢＧサイズ、および生成したサーチスペース情報をＲ−ＰＤＣＣＨ用ＰＲＢ決定部３１５に出力する。
【０１３２】
Ａｇｇｒｅｇａｔｉｏｎ  ｓｉｚｅ  決定部１１７は、自局と中継局４００との間の回線品質情報（ｅＮＢ−ＲＮ回線品質情報）に応じて、制御信号のアグリゲーションサイズを決定する。そして、Ａｇｇｒｅｇａｔｉｏｎ  ｓｉｚｅ  決定部１１７は、制御信号を決定したアグリゲーションサイズに応じて符号化し、Ｒ−ＰＤＣＣＨ用ＰＲＢ決定部３１５へ出力する。
【０１３３】
Ｒ−ＰＤＣＣＨ用ＰＲＢ決定部３１５は、Ｒ−ＰＤＣＣＨのアグリゲーションサイズ、自局と中継局４００との間の回線品質情報、サーチスペース情報、およびＲＢＧサイズから、Ｒ−ＰＤＣＣＨ用サーチスペースに含まれるＰＲＢのうち、実際にＲ−ＰＤＣＣＨを送信するＰＲＢを決定する。さらに、Ｒ−ＰＤＣＣＨ用ＰＲＢ決定部３１５は、サーチスペースに含まれるＰＲＢのうち、ＰＲＢバンドリングされるＰＲＢを選択して、Ｒ−ＰＤＣＣＨを割当てる。つまり、Ｒ−ＰＤＣＣＨ用ＰＲＢ決定部３１５は、サーチスペースに含まれるＰＲＢのうち、ＰＲＢバンドリングされるＰＲＢを選択して、中継局４００用の制御信号であるＲ−ＰＤＣＣＨを割当てる割当て部としても機能する。ＰＲＢに割当てられたＲ−ＰＤＣＣＨは、ＰＲＧごとにプリコーディングがかけられ、無線送信部１１９へ出力されるＤＭ−ＲＳにもＰＲＧごとにプリコーディングかかけられ、無線送信部１１９へ出力される。
【０１３４】
変調部１１３は、送信信号を変調し、信号割当部１２１へ出力する。
【０１３５】
信号割当部１２１は、変調部１１３から入力された送信信号をリソースに割当て、無線送信部１１９へ出力する。
【０１３６】
無線送信部１１９は、信号割当部１２１でリソースに割当てられた送信信号に対してアップコンバート等の無線処理を施して、送信アンテナ１２３から中継局４００へ送信する。
【０１３７】
図２６は、実施の形態２の中継局４００の構成を示すブロック図である。実施の形態２の中継局４００が実施の形態１の中継局２００と異なる点は、ブラインドディコーディング部２２５の代わりに、ブラインドディコーディング決定部４０７と、Ｒ−ＰＤＣＣＨ受信部４０９とを有するブラインドディコーディング部４２５を備える点である。この点以外は第１の実施形態と同様であり、図２６において、図１９と共通する構成要素には同じ参照符号が付され、詳細な説明を省略する。
【０１３８】
ブラインドディコーディング決定部４０７は、Ｒ−ＰＤＣＣＨのサーチスペース情報（Ｒ−ＰＤＣＣＨ割り当て情報）がＲＢＧ単位の場合、システム帯域幅情報（ＢＷ情報）より、ＲＢＧサイズを生成する。また、ブラインドディコーディング決定部４０７は、サーチスペース情報で指定されたＲＢＧを構成するＰＲＢのうち、ブラインドディコーディングするＰＲＢを選択し、ブラインドディコーディング情報を生成し、信号分離部２０５、およびＲ−ＰＤＣＣＨ受信部４０９へ出力する。
【０１３９】
ここで、ブラインドディコーディングするＰＲＢの選択方法は、アグリゲーションサイズ２のセットが１ＲＢＧ内に配置されるように設定する上述した方法に従う。なお、ブラインドディコーディング決定部４０７は、ブラインドディコーディング部４２５の一部を構成する。
【０１４０】
ここで、ブラインドディコーディング情報とは、サーチスペースに含まれるＰＲＢのうち、ブラインドディコーディングするＰＲＢを示す情報であり、アグリゲーションサイズおよびＲＢＧサイズに応じて変化する。ブラインドディコーディングするＰＲＢとは、図２０から図２４を参照して説明したように、自局用にＲ−ＰＤＣＣＨが配置される可能性のあるＰＲＢである。
【０１４１】
Ｒ−ＰＤＣＣＨ受信部４０９は、ブラインドディコーディング情報に基づき、ブラインドディコーディングを行い、Ｒ−ＰＤＣＣＨを検出する。そして、Ｒ−ＰＤＣＣＨに含まれる“ＤＬ  ｇｒａｎｔ”は信号分離部２０５へ出力され、Ｒ−ＰＤＣＣＨに含まれる“ＵＬ  ｇｒａｎｔ”は信号割当て部２１９へ出力される。なお、Ｒ−ＰＤＣＣＨ受信部４０９は、ブラインドディコーディング部４２５の一部を構成する。
【０１４２】
なお、上記各実施の形態において、Ｒ−ＰＤＣＣＨを受信するのは中継局２００（又は中継局４００）と説明したが、これに限らない。例えば、移動局が基地局１００（又は基地局３００）からＲ−ＰＤＣＣＨを受信する場合にも適用できる。
【０１４３】
なお、上記実施の形態において、ＲＢＧの番号付けについては、奇数／偶数を逆にしてもよい。
【０１４４】
なお、上記実施の形態ではアンテナとして説明したが、アンテナポートでも同様に適用できる。アンテナポート（ａｎｔｅｎｎａ  ｐｏｒｔ）とは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。例えばＬＴＥにおいては、アンテナポートが何本の物理アンテナから構成されるかは規定されず、基地局が異なるＲｅｆｅｒｅｎｃｅ  ｓｉｇｎａｌを送信できる最小単位として規定されている。また、アンテナポートはＰｒｅｃｏｄｉｎｇ  ｖｅｃｔｏｒの重み付けを乗算する最小単位として規定されることもある。
【０１４５】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１４６】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【０１４７】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１４８】
本発明を詳細にまた特定の実施態様を参照して説明したが、本発明の精神と範囲を逸脱することなく様々な変更や修正を加えることができることは当業者にとって明らかである。
【０１４９】
本出願は、２０１０年６月２１日出願の日本特許出願（特願２０１０−１４１００６）、２０１０年９月１７日出願の日本特許出願（特願２０１０−２１００８６）、に基づくものであり、その内容はここに参照として取り込まれる。
【産業上の利用可能性】
【０１５０】
本発明に係る無線通信装置及び無線通信方法は、Ｒ−ＰＤＣＣＨの下り回線のデータ割り当てを指示する“ＤＬ  ｇｒａｎｔ”のチャネル推定精度を向上させることができるという効果を有し、無線通信装置等として有用である。
【符号の説明】
【０１５１】
１００、３００  基地局
１０１          受信アンテナ
１０３          無線受信部
１０５          復調部
１０７          誤り訂正復号部
１０９          誤り訂正符号化部
１１１、３１１  Ｒ−ＰＤＣＣＨ用サーチスペース決定部
１１３          変調部
１１５、３１５  Ｒ−ＰＤＣＣＨ用ＰＲＢ決定部
１１７          Ａｇｇｒｅｇａｔｉｏｎ  ｓｉｚｅ  決定部
１１９          無線送信部
１２１          信号割当部
１２３          送信アンテナ
２００、４００  中継局
２０１          受信アンテナ
２０３          無線受信部
２０５          信号分離部
２０７、４０７  ブラインドディコーディング決定部
２０９、４０９  Ｒ−ＰＤＣＣＨ受信部
２１１          復調部
２１３          誤り訂正復号部
２１５          誤り訂正符号化部
２１７          変調部
２１９          信号割当部
２２１          無線送信部
２２３          送信アンテナ
２２５、４２５  ブラインドディコーディング部
【図１】
2011161907.tif 000003
【図２】
2011161907.tif 000004
【図３】
2011161907.tif 000005
【図４】
2011161907.tif 000006
【図５】
2011161907.tif 000007
【図６】
2011161907.tif 000008
【図７】
2011161907.tif 000009
【図８】
2011161907.tif 000010
【図９】
2011161907.tif 000011
【図１０】
2011161907.tif 000012
【図１１】
2011161907.tif 000013
【図１２】
2011161907.tif 000014
【図１３】
2011161907.tif 000015
【図１４】
2011161907.tif 000016
【図１５】
2011161907.tif 000017
【図１６】
2011161907.tif 000018
【図１７】
2011161907.tif 000019
【図１８】
2011161907.tif 000020
【図１９】
2011161907.tif 000021
【図２０】
2011161907.tif 000022
【図２１】
2011161907.tif 000023
【図２２】
2011161907.tif 000024
【図２３】
2011161907.tif 000025
【図２４】
2011161907.tif 000026
【図２５】
2011161907.tif 000027
【図２６】
2011161907.tif 000028
【図２７】
2011161907.tif 000029
【図２８】
2011161907.tif 000030
【図２９】
2011161907.tif 000031
【図３０】
2011161907.tif 000032
【図３１】
2011161907.tif 000033
【国際調査報告】
2011161907.tif 000034
2011161907.tif 000035